(57)【要約】【課題】トラッキング制御に及ぼす影響を抑えながらデータを記録可能な記録媒体の製造装置を動作させる。【解決手段】信号生成装置（４００）は、複数のガイドトラックの夫々の同一回転位相位置に、トラック中心を基準として左右に所定距離シフトしている一対の記録マーク（ＭＬ、ＭＲ）が組み合わせられた同一のマーク群（ＭＧ）が形成されている記録媒体（１１）の製造装置（３００）を動作させる制御信号を生成し、カッティングレーザ光の照射位置を径方向に沿ってシフトさせるタイミングを決定する決定手段（４３０）と、照射位置のシフト量の目標値として相対的に大きな第２の目標値及び相対的に小さな第１の目標値をこの順に用いながら照射位置を徐々にシフトさせるように製造装置を動作させる制御信号を生成する生成手段（４６０）とを備える。【選択図】図１９
2014203475.tif 000002
【特許請求の範囲】
【請求項１】
（ｉ−１）トラッキング用のガイドトラックが形成されているガイド層と、（ｉ−２）前記ガイド層上に積層されている複数の記録層とを備える記録媒体であって、（ｉｉ）前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体の製造装置を動作させるための制御信号を生成する信号生成装置であって、
前記製造装置は、回転する原盤に対して前記制御信号に応じた態様でカッティングレーザ光を照射することで、前記記録媒体を製造するためのスタンパを製造し、
前記信号生成装置は、
前記カッティングレーザ光の照射位置を、前記ガイドトラックの進行方向に直交する径方向に沿って所望のシフト量だけシフトさせるタイミングを決定する決定手段と、
前記決定手段が決定した前記タイミングで前記照射位置を前記径方向に沿って前記所望のシフト量だけシフトさせることで前記マーク群を形成するように前記製造装置を動作させるための前記制御信号を生成する生成手段と
を備え、
前記生成手段は、（ｉ）前記決定手段が決定した前記タイミングが到来してから所定時間が経過するまでは、前記照射位置のシフト量の目標値として前記所望のシフト量に対応する第１の目標値よりも絶対値が大きい第２の目標値を用いながら、前記照射位置を徐々にシフトさせ、（ｉｉ）前記決定手段が決定したタイミングが到来してから前記所定時間が経過した後には、前記照射位置のシフト量の目標値として前記所望のシフト量に対応する前記第１の目標値を用いながら、前記照射位置を徐々にシフトさせることで前記マーク群を形成するように前記製造装置を動作させるための前記制御信号を生成する
ことを特徴とする信号生成装置。
【請求項２】
前記生成手段は、前記決定手段が決定した前記タイミングが到来してから前記所定時間が経過するまでの間の前記照射位置のシフト量の単位時間当たりの変化率が、前記決定手段が決定したタイミングが到来してから前記所定時間が経過した後の前記照射位置のシフト量の単位時間当たりの変化率よりも大きくなるように前記照射位置をシフトさせることで前記マーク群を形成するように前記製造装置を動作させるための前記制御信号を生成する
ことを特徴とする請求項１に記載の信号生成装置。
【請求項３】
前記所定時間は、前記第２の目標値を前記照射位置のシフト量の目標値として用いながら前記照射位置を徐々にシフトさせている状態での前記照射位置の実際のシフト量が前記第１の目標値に到達するまでに要する時間よりも短い時間である
ことを特徴とする請求項１又は２に記載の信号生成装置。
【請求項４】
前記決定手段は、前記カッティングレーザ光を照射する他のタイミングを更に決定し、
前記生成手段は、（ｉ）前記決定手段が決定した前記他のタイミングで前記カッティングレーザ光を照射することで前記ガイドトラックを形成すると共に、（ｉｉ）前記ガイドトラックの形成中に、前記決定手段が決定した前記タイミングで前記照射位置を前記径方向に沿って前記所望のシフト量だけシフトさせることで前記マーク群を形成するように前記製造装置を動作させるための前記制御信号を生成する
ことを特徴とする請求項１から３のいずれか一項に記載の信号生成装置。
【請求項５】
前記製造装置から出力される前記原盤の回転位相を取得する取得手段と、
前記取得手段が取得する前記回転位相の精度よりも高精度な周期でカウント値を出力するカウント手段と、
前記マーク群が形成される回転位相位置に対応する前記回転位相及び前記カウント値の組み合わせを記憶する記憶手段と
を更に備え、
前記決定手段は、前記取得手段が取得する前記回転位相及び前記カウント手段が出力するカウント値の組み合わせが、前記記憶手段が記憶した前記回転位相及び前記カウント値との組み合わせと一致するタイミングを、前記照射位置を前記径方向に沿って前記所望のシフト量だけシフトさせる前記タイミングとして決定する
ことを特徴とする請求項１から４のいずれか一項に記載の信号生成装置。
【請求項６】
前記取得手段は、前記製造装置が備えるロータリエンコーダから前記原盤の回転位相に応じて間欠的に出力される回転パルスを取得し、
前記カウント手段は、前記回転パルスのパルス周期よりも高精度な周期で前記カウント値を出力し、
前記記憶手段は、前記マーク群が形成される回転位相位置に対応する前記回転パルス及び前記カウント値の組み合わせを記憶し、
前記決定手段は、前記取得手段が取得する前記回転パルス及び前記カウント手段が出力するカウント値の組み合わせが、前記記憶手段が記憶した前記回転パルス及び前記カウント値との組み合わせと一致するタイミングを、前記照射位置を前記径方向に沿って前記所望のシフト量だけシフトさせる前記タイミングとして決定する
ことを特徴とする請求項５に記載の信号生成装置。
【請求項７】
（ｉ−１）トラッキング用のガイドトラックが形成されているガイド層と、（ｉ−２）前記ガイド層上に積層されている複数の記録層とを備える記録媒体であって、（ｉｉ）前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体の製造装置を動作させるための制御信号を生成する信号生成方法であって、
前記製造装置は、回転する原盤に対して前記制御信号に応じ態様でカッティングレーザ光を照射することで、前記記録媒体を製造するためのスタンパを製造し、
前記信号生成方法は、
前記カッティングレーザ光の照射位置を、前記ガイドトラックの進行方向に直交する径方向に沿って所望のシフト量だけシフトさせるタイミングを決定する決定工程と、
前記決定工程が決定した前記タイミングで前記照射位置を前記径方向に沿って前記所望のシフト量だけシフトさせることで前記マーク群を形成するように前記製造装置を動作させるための前記制御信号を生成する生成工程と
を備え、
前記生成工程は、（ｉ）前記決定工程が決定した前記タイミングが到来してから所定時間が経過するまでは、前記照射位置のシフト量の目標値として前記所望のシフト量に対応する第１の目標値よりも絶対値が大きい第２の目標値を用いながら、前記照射位置を徐々にシフトさせ、（ｉｉ）前記決定工程が決定したタイミングが到来してから前記所定時間が経過した後には、前記照射位置のシフト量の目標値として前記所望のシフト量に対応する前記第１の目標値を用いながら、前記照射位置を徐々にシフトさせることで前記マーク群を形成するように前記製造装置を動作させるための前記制御信号を生成する
ことを特徴とする信号生成方法。
【発明の詳細な説明】
【技術分野】
【０００１】
本発明は、例えば多数の記録層を備える光ディスク等の記録媒体の製造装置を動作させる信号生成装置及び方法の技術分野に関する。
【背景技術】
【０００２】
多数の記録層を備える記録媒体として、例えば記録動作及び再生動作の少なくとも一方の実際の対象となる複数の記録層と、トラッキング用のガイドトラックが形成されたガイド層とを有する記録媒体（例えば、いわゆるガイド層分離型光ディスク）が知られている（特許文献１等参照）。このような記録媒体に対する記録動作及び再生動作の少なくとも一方を行う記録再生装置は、ガイド層のガイドトラックを読み取るためのガイドレーザ光と、記録層に対する記録動作及び再生動作の少なくとも一方を行うための記録再生レーザ光とを照射する。記録再生装置は、ガイドレーザ光の戻り光から得られるプッシュプル信号に基づいてトラッキング制御を行いながら、記録再生用レーザ光を記録層に照射することで記録動作及び再生動作の少なくとも一方を行う。
【０００３】
尚、ガイド層分離型光ディスクを開示する先行技術文献ではないものの、後述する本発明に関連する先行技術文献として、特許文献２から特許文献８があげられる。
【先行技術文献】
【特許文献】
【０００４】
【特許文献１】特許第４０３７０３４公報
【特許文献２】特許第３７２９４６７公報
【特許文献３】特開２００３−３２３７２５号公報
【特許文献４】特開２００４−１７８７８１号公報
【特許文献５】特開平８−２７９１６０号公報
【特許文献６】特開平８−４５０８０号公報
【特許文献７】特許第３２０５１５４号公報
【特許文献８】特許第３６９３８１３号公報
【発明の概要】
【発明が解決しようとする課題】
【０００５】
ところで、このような記録媒体では、何らかのデータ（例えば、アドレス情報やクロック情報や記録開始タイミング情報等の制御情報を示すデータ）をガイド層に予め記録しておきたいという要請がある。この場合、記録層に記録される記録マーク及び記録スペースの組み合わせと同様に、記録マーク及び記録スペースの組み合わせをガイド層にも形成することで、データをガイド層に記録する方法が一例として想定される。
【０００６】
しかしながら、当該記録マーク及び記録スペースの組み合わせをガイド層に形成することでデータがガイド層に記録される場合には、記録再生装置は、ガイドレーザ光の戻り光から、トラッキング用のプッシュプル信号のみならず、制御情報を読み取るためのＲＦ信号（いわゆる、総和信号）を取得する必要がある。しかしながら、プッシュプル信号の特性とＲＦ信号の特性とが異なることに起因して、プッシュプル信号及びＲＦ信号の双方を同時に取得することは、プッシュプル信号の取得の精度に何らかの影響を与えかねないという技術的な問題点が生ずる。つまり、プッシュプル信号及びＲＦ信号の双方を同時に取得することは、ガイド層の本来の目的であるトラッキング制御に何らかの影響を与えかねないという技術的な問題点が生ずる。
【０００７】
本発明は、上述した多数の記録層を備える光ディスクにおいて、トラッキング用のガイドトラックが形成されたガイド層に対して、トラッキング制御に及ぼす影響を抑えながら好適にデータを記録することが可能な記録媒体を製造する製造装置を動作させる信号生成装置及び方法を提供することを課題とする。
【課題を解決するための手段】
【０００８】
上記課題を解決する信号生成装置は、（ｉ−１）トラッキング用のガイドトラックが形成されているガイド層と、（ｉ−２）前記ガイド層上に積層されている複数の記録層とを備える記録媒体であって、（ｉｉ）前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体の製造装置を動作させるための制御信号を生成する信号生成装置であって、前記製造装置は、回転する原盤に対して前記制御信号に応じた態様でカッティングレーザ光を照射することで、前記記録媒体を製造するためのスタンパを製造し、前記信号生成装置は、前記カッティングレーザ光の照射位置を、前記ガイドトラックの進行方向に直交する径方向に沿って所望のシフト量だけシフトさせるタイミングを決定する決定手段と、前記決定手段が決定した前記タイミングで前記照射位置を前記径方向に沿って前記所望のシフト量だけシフトさせることで前記マーク群を形成するように前記製造装置を動作させるための前記制御信号を生成する生成手段とを備え、前記生成手段は、（ｉ）前記決定手段が決定した前記タイミングが到来してから所定時間が経過するまでは、前記照射位置のシフト量の目標値として前記所望のシフト量に対応する第１の目標値よりも絶対値が大きい第２の目標値を用いながら、前記照射位置を徐々にシフトさせ、（ｉｉ）前記決定手段が決定したタイミングが到来してから前記所定時間が経過した後には、前記照射位置のシフト量の目標値として前記所望のシフト量に対応する前記第１の目標値を用いながら、前記照射位置を徐々にシフトさせることで前記マーク群を形成するように前記製造装置を動作させるための前記制御信号を生成する。
【０００９】
上記課題を解決する信号生成方法は、（ｉ−１）トラッキング用のガイドトラックが形成されているガイド層と、（ｉ−２）前記ガイド層上に積層されている複数の記録層とを備える記録媒体であって、（ｉｉ）前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体の製造装置を動作させるための制御信号を生成する信号生成方法であって、前記製造装置は、回転する原盤に対して前記制御信号に応じ態様でカッティングレーザ光を照射することで、前記記録媒体を製造するためのスタンパを製造し、前記信号生成方法は、前記カッティングレーザ光の照射位置を、前記ガイドトラックの進行方向に直交する径方向に沿って所望のシフト量だけシフトさせるタイミングを決定する決定工程と、前記決定工程が決定した前記タイミングで前記照射位置を前記径方向に沿って前記所望のシフト量だけシフトさせることで前記マーク群を形成するように前記製造装置を動作させるための前記制御信号を生成する生成工程とを備え、前記生成工程は、（ｉ）前記決定工程が決定した前記タイミングが到来してから所定時間が経過するまでは、前記照射位置のシフト量の目標値として前記所望のシフト量に対応する第１の目標値よりも絶対値が大きい第２の目標値を用いながら、前記照射位置を徐々にシフトさせ、（ｉｉ）前記決定工程が決定したタイミングが到来してから前記所定時間が経過した後には、前記照射位置のシフト量の目標値として前記所望のシフト量に対応する前記第１の目標値を用いながら、前記照射位置を徐々にシフトさせることで前記マーク群を形成するように前記製造装置を動作させるための前記制御信号を生成する。
【図面の簡単な説明】
【００１０】
【図１】一枚の光ディスクを構成する複数の層を、その積層方向（図１中、上下方向）について相互に間隔をあけて分解することで、各層を見易くしてなる模式的な斜視図である。
【図２】光ディスクの断面を、ガイドレーザ光及び記録再生レーザ光の照射態様と共に示す断面図である。
【図３】グルーブトラックに形成されるマーク群を構成する一対の記録マークの構成を示す平面図である。
【図４】グルーブトラックに形成されるマーク群によって多種類のデータ（具体的には、ビットデータ及び同期データ）が記録される態様を示す平面図である。
【図５】ランドトラックに形成されるマーク群を構成する一対の記録マークの構成を示す平面図である。
【図６】ランドトラックに形成されるマーク群によって多種類のデータ（具体的には、ビットデータ及び同期データ）が記録される態様を示す平面図である。
【図７】ガイド層（更には、記録層）のデータ構造を示すデータ構造図である。
【図８】特定のスロットに形成されるマーク群の一例を示す平面図である。
【図９】複数のマーク群が複数のスロットに分散して記録される態様を示す平面図である。
【図１０】グルーブトラックの凹部の深さ（つまり、ランドトラックに対するグルーブトラックの相対的な深さ）とプッシュプル信号及びＲＦ信号の信号レベルとの関係を示すグラフである。
【図１１】単一のグルーブトラックにマーク群が形成される比較例を示す平面図である。
【図１２】フォーカス偏差とプッシュプル信号の振幅との間の関係を示すグラフである。
【図１３】ガイド層でのガイドレーザ光のビームスポットとグルーブトラック並びに一対の記録マークとの位置関係を示す平面図である。
【図１４】一対の記録マーク並びにトラック中心上に位置する記録マークが含まれる同期データを構成するマーク群から得られるプッシュプル信号を示すグラフである。
【図１５】光ディスクを製造するために用いられる露光装置及び制御信号生成装置の構成を示すブロック図である。
【図１６】タイミング信号生成部が生成するマーク群形成タイミング等を示すタイミングチャートである。
【図１７】光ディスクの製造過程の全体の流れを示すフローチャートである。
【図１８】グルーブトラックに形成されるマーク群に対応するレーザカッティング処理（図１７のステップＳ１００）の流れを示すフローチャートである。
【図１９】グルーブトラックに形成されるマーク群に対応するレーザカッティング処理（図１７のステップＳ１００）が行われる時に生成されるレーザ光強度制御信号及び方向・シフト量制御信号を、マーク群ＭＧと対応付けて示すタイミングチャートである。
【図２０】パルスカウンタの第１カウンタ値及び周期カウンタの第２カウンタ値とマーク群との対応付けを示すタイミングチャートである。
【図２１】カッティングレーザ光の照射位置のシフト量の時間変化を、方向・シフト量制御信号の信号レベルが異なる複数の態様毎に示すグラフである。
【図２２】ランドトラックに形成されるマーク群に対応するレーザカッティング処理（図１７のステップＳ１００）の流れを示すフローチャートである。
【図２３】ランドトラックに形成されるマーク群に対応するレーザカッティング処理（図１７のステップＳ１００）が行われる時に生成されるレーザ光強度制御信号及び方向・シフト量制御信号を、マーク群ＭＧと対応付けて示すタイミングチャートである。
【図２４】パルスカウンタの第１カウンタ値及び周期カウンタの第２カウンタ値とマーク群との対応付けを示すタイミングチャートである。
【発明を実施するための形態】
【００１１】
以下、信号生成装置及び方法の実施形態について順に説明する。
【００１２】
（信号生成装置の実施形態）
＜１＞
本実施形態の信号生成装置は、（ｉ−１）トラッキング用のガイドトラックが形成されているガイド層と、（ｉ−２）前記ガイド層上に積層されている複数の記録層とを備える記録媒体であって、（ｉｉ）前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体の製造装置を動作させるための制御信号を生成する信号生成装置であって、前記製造装置は、回転する原盤に対して前記制御信号に応じた態様でカッティングレーザ光を照射することで、前記記録媒体を製造するためのスタンパを製造し、前記信号生成装置は、前記カッティングレーザ光の照射位置を、前記ガイドトラックの進行方向に直交する径方向に沿って所望のシフト量だけシフトさせるタイミングを決定する決定手段と、前記決定手段が決定した前記タイミングで前記照射位置を前記径方向に沿って前記所望のシフト量だけシフトさせることで前記マーク群を形成するように前記製造装置を動作させるための前記制御信号を生成する生成手段とを備え、前記生成手段は、（ｉ）前記決定手段が決定した前記タイミングが到来してから所定時間が経過するまでは、前記照射位置のシフト量の目標値として前記所望のシフト量に対応する第１の目標値よりも絶対値が大きい第２の目標値を用いながら、前記照射位置を徐々にシフトさせ、（ｉｉ）前記決定手段が決定したタイミングが到来してから前記所定時間が経過した後には、前記照射位置のシフト量の目標値として前記所望のシフト量に対応する前記第１の目標値を用いながら、前記照射位置を徐々にシフトさせることで前記マーク群を形成するように前記製造装置を動作させるための前記制御信号を生成する。
【００１３】
本実施形態の信号生成装置によれば、記録媒体の製造装置を制御するための制御信号を生成することができる。信号生成装置が生成した制御信号が製造装置に入力されることで、製造装置は、製造装置が備える各種構成要素（例えば、後述する半導体レーザ光源や当該半導体レーザ光源のアクチュエータ等）を制御信号に応じた態様で動作させることで、記録媒体を製造することができる。
【００１４】
尚、本実施形態における「製造装置」は、製造装置は、回転する原盤（例えば、ガラス原盤）に対してカッティングレーザ光を照射することで、記録媒体を製造するためのスタンパを製造する製造装置である。より具体的には、本実施形態における製造装置は、カッティングレーザ光の照射により、原盤上に塗布されたレジストを除去する。このとき、製造装置は、制御信号に応じてカッティングレーザ光を照射することで、ガイドトラックやマーク群（言い換えれば、マーク群を構成する一又は複数の記録マーク）のパターンに応じてレジストを除去する。レジストが除去された原盤を鋳型として用いることで、スタンパが製造される。但し、本実施形態における「製造装置」は、記録媒体そのものを直接的に製造する製造装置や、記録媒体を製造するために必要な中間部材（例えば、原盤やスタンパ等）を製造することで記録媒体をいわば間接的に製造する製造装置であってもよい。
【００１５】
また、本実施形態における「制御信号」とは、製造装置に入力されることで製造装置が備える各種構成要素（例えば、後述する半導体レーザ光源や当該半導体レーザ光源のアクチュエータ等）を駆動させることができる信号を示す趣旨である。このような制御信号は、製造装置が備える各種構成要素に直接的に入力されることで当該各種構成要素を動作させることができる制御信号であってもよい。或いは、このような制御信号は、製造装置が備える各種構成要素に間接的に入力される（例えば、間に何らかの信号フォーマット変換部を介在させて入力される）ことで当該各種構成要素を動作させることができる制御信号であってもよい。要は、製造装置の動作を何らかの態様で規定することができる信号であれば、本実施形態の制御信号として取り扱われてもよい。本実施形態では、このような制御信号は、製造装置によるカッティングレーザ光の照射態様（例えば、後述するように、カッティングレーザ光を径方向に沿ってシフトするタイミングや、カッティングレーザ光を照射するタイミング等）を規定する制御信号である。
【００１６】
ここで、本実施形態の信号生成装置が生成する制御信号に応じて動作する製造装置が製造する記録媒体について、以下に説明を進める。記録媒体は、ガイド層と複数の記録層とを備えている。ガイド層には、トラッキング用のガイドトラックが形成されている。このため、当該記録媒体に対して（より具体的には、当該記録媒体が備える複数の記録層に対して）記録動作及び再生動作の少なくとも一方を行う記録再生装置は、ガイド層に照射されるガイドレーザ光の戻り光（つまり、ガイド層によって反射されたガイドレーザ光）に基づいて、ガイドトラックとガイドレーザ光のビームスポットとの位置関係に応じたプッシュプル信号を取得することができる。その結果、記録再生装置は、当該プッシュプル信号に基づいて、トラッキング制御を行うことができる。
【００１７】
本実施形態では、ガイド層には、マーク群が形成されている。具体的には、マーク群は、ガイドレーザ光がガイド層上で形成するビームスポットに包含される複数のガイドトラックのうちの少なくとも二つのガイドトラックの夫々の同一回転位相位置に形成される。つまり、同一のビットデータ（例えば、１ビットから数ビットないしは十数ビットのビットデータ）を示す同一のマーク群が、ガイドレーザ光のビームスポットに包含される複数のガイドトラックのうちの少なくとも二つのガイドトラックの夫々に、ガイドトラックの進行方向に対して直交する方向に沿って隣接するように形成されている。このとき、マーク群は、ガイドレーザ光がガイド層上で形成するビームスポットに包含される複数のガイドトラックのうちの少なくとも二つのガイドトラックの夫々に形成される。つまり、同一のマーク群が形成されるガイドトラックの数は、ガイドレーザ光のビームスポットに包含されるガイドトラックの数以下となり且つ２以上となる。
【００１８】
更に、少なくとも二つのガイドトラックの夫々の同一回転位相位置に形成されるマーク群は、ガイドトラックのトラック中心を基準として左右に所定距離シフトしている一対の記録マークが組み合わせられたマーク群である。つまり、マーク群は、トラック中心を基準として左側に所定距離シフトしている記録マークとトラック中心を基準として右側に所定距離シフトしている記録マークとを含む一対の記録マークが、任意の態様で組み合わせられたマーク群となる。このような一対の記録マークとして、トラック中心を基準として左側に所定距離シフトしている記録マークとトラック中心を基準として右側に所定距離シフトしている記録マークとがガイドトラックの進行方向に沿ってこの順に配列している一対の記録マークや、トラック中心を基準として右側に所定距離シフトしている記録マークとトラック中心を基準として左側に所定距離シフトしている記録マークとがガイドトラックの進行方向に沿ってこの順に配列している一対の記録マークが一例としてあげられる。従って、マーク群は、このような一対の記録マークが１つだけ組み合わせられたマーク群（つまり、一対の記録マークそのものと一致するマーク群）であってもよいし、このような一対の記録マークが任意の態様で組み合わせられたマーク群であってもよい。或いは、マーク群は、後述するように、このような一対の記録マークとその他の記録マーク（例えば、トラック中心上に位置する記録マーク）とが任意の態様で組み合わせられたマーク群であってもよい。
【００１９】
より具体的な構成を例示して説明する。例えば、ガイドレーザ光のビームスポットに３本のガイドトラックが包含されるとする。この場合、第ｋ（但し、ｋは１以上の整数）番目のガイドトラック、第ｋ＋１番目のガイドトラック及び第ｋ＋２番目のガイドトラックのうちの少なくとも二つのガイドトラックの同一回転位相位置に、同一のマーク群が形成される。例えば、第ｋ番目のガイドトラックの回転位相位置がｘ（但し、ｘは０≦ｘ≦３６０を満たす実数）°となる位置及び第ｋ＋２番目のガイドトラックの回転位相位置がｘ°となる位置に、同一のマーク群が形成される。より具体的には、例えば、第１番目のガイドトラックの回転位相位置が１０°となる位置及び第３番目のガイドトラックの回転位相位置が１０°となる位置に、トラック中心を基準として左側に所定距離シフトしている記録マークとトラック中心を基準として右側に所定距離シフトしている記録マークとがガイドトラックの進行方向に沿ってこの順に配列している一対の記録マークそのものとなるマーク群が形成されてもよい。他方で、例えば、第４番目のガイドトラックの回転位相位置が６０°となる位置及び第６番目のガイドトラックの回転位相位置が６０°となる位置に、トラック中心を基準として右側に所定距離シフトしている記録マークとトラック中心を基準として左側に所定距離シフトしている記録マークとがガイドトラックの進行方向に沿ってこの順に配列している一対の記録マークそのものとなるマーク群が形成されてもよい。
【００２０】
尚、ガイド層に形成されるマーク群の全てが、上述した一対の記録マークが組み合わせられたマーク群でなくともよい。例えば、ガイド層に形成されるマーク群の一部が上述した一対の記録マークそのもの（或いは、上述した一対の記録マークの組み合わせ）となるマーク群である一方で、ガイド層に形成されるマーク群の他の一部が上述した一対の記録マークを含まない任意の記録マーク（例えば、トラック中心上に位置する記録マーク）であってもよい。
【００２１】
このようなマーク群が形成される本実施形態の記録媒体によれば、以下に示す利点がある。
【００２２】
まず、本実施形態によれば、ガイド層に形成されるマーク群は、ガイドトラックのトラック中心を基準として左右に所定距離シフトしている一対の記録マークが組み合わせられたマーク群である。このため、このようなマーク群をガイド層に形成したとしても、当該マーク群がプッシュプル信号に及ぼし得る信号レベルの変動の平均値はゼロ（但し、実質的にゼロと同視し得る程度のマージンを含む）となる。従って、マーク群の存在がプッシュプル信号に基づくトラッキング制御に悪影響を及ぼすことは殆ど或いは全くなくなる。従って、記録再生装置は、好適なトラッキング制御を行いながら、複数の記録層に対する記録動作及び再生動作の少なくとも一方を行うことができる。
【００２３】
その一方で、マーク群を構成する一対の記録マークの組み合わせの違いに応じて、マーク群に異なるビットデータを割り当てることで、当該マーク群を用いてビットデータをガイド層に記録することができる。このようなビットデータ（つまり、一対の記録マークの組み合わせの違い）は、プッシュプル信号の信号レベルの変動の瞬時値の変化を監視することで容易に読み取ることができる。従って、本実施形態によれば、プッシュプル信号を用いて読み取ることができるビットデータを、ガイド層に記録することができる。言い換えれば、本実施形態によれば、ＲＦ信号（言い換えれば、総和信号）を用いて読み取らなくともよいビットデータを、ガイド層に記録することができる。従って、記録再生装置は、プッシュプル信号に基づいて、ガイド層に予め形成されたマーク群に応じたビットデータを好適に読み取りながら、複数の記録層に対する記録動作及び再生動作の少なくとも一方を行うことができる。
【００２４】
加えて、本実施形態によれば、ガイドレーザ光のビームスポットに包含される複数のガイドトラックのうちの少なくとも二つのガイドトラックの夫々の同一回転位相位置に同一のマーク群が形成される。従って、後に図面を用いて詳述するように、記録再生装置は、ガイドレーザ光のフォーカスオフセットの偏差（いわゆる、デフォーカス）に影響を受けることなく、マーク群に応じたビットデータを読み取ることができる。
【００２５】
このように、本実施形態の記録媒体によれば、トラッキング用のガイドトラックが形成されたガイド層に対して、トラッキング制御に及ぼす影響を抑えながら好適にデータ（例えば、上述のビットデータ等）を記録することができる。
【００２６】
本実施形態の信号生成装置は、上述した記録媒体を製造するように製造装置を動作させるための制御信号を生成する。このような制御信号を生成するために、信号生成装置は、決定手段と、生成手段とを備えている。
【００２７】
決定手段は、上述したマーク群を形成するタイミングを決定する。ここで、トラック中心を基準として左右に所定距離シフトしている一対の記録マークが組み合わせられたマーク群を形成するためには、製造装置は、カッティングレーザ光の照射位置を径方向（つまり、ガイドトラックの進行方向に直交する方向）に沿ってシフトさせながら、原盤に対してカッティングレーザ光を照射することが好ましい。このため、本実施形態では、決定手段は、カッティングレーザ光の照射位置を径方向に沿って所望のシフト量だけシフトさせるタイミング（例えば、照射位置を所望のシフト量だけシフトさせるために、当該照射位置のシフトを開始するタイミング）を決定する。
【００２８】
尚、ここでいう「照射位置のシフト」は、トラック中心を基準とする照射位置のシフトを意味していてもよい。従って、「照射位置を所望のシフト量だけシフトさせる」動作は、トラック中心から径方向に沿って所望のシフト量だけずれた位置に向けて照射位置をシフトさせる動作に相当する。この場合、カッティングレーザ光の照射位置は、トラック中心からガイドトラックの進行方向に対して右側（例えば、内側又は外側）に向かってシフトしてもよいし、現在の照射位置からガイドトラックの進行方向に対して左側（例えば、外側又は内側）に向かってシフトしてもよい。
【００２９】
或いは、「照射位置のシフト」は、現在の照射位置を基準とする照射位置のシフトを意味していてもよい。従って、「照射位置を所望のシフト量だけシフトさせる」動作は、現在の照射位置から径方向に沿って所望のシフト量だけずれた位置に向けて照射位置をシフトさせる動作に相当する。この場合、カッティングレーザ光の照射位置は、現在の照射位置からガイドトラックの進行方向に対して右側（例えば、内側又は外側）に向かってシフトしてもよいし、現在の照射位置からガイドトラックの進行方向に対して左側（例えば、外側又は内側）に向かってシフトしてもよい。
【００３０】
生成手段は、決定手段が決定したタイミングでマーク群を形成するように製造装置を動作させるための制御信号を生成する。より具体的には、生成手段は、決定手段が決定したタイミングでカッティングレーザ光の照射位置を径方向に沿って所望のシフト量だけシフトさせることでマーク群を形成するように製造装置を動作させるための制御信号を生成する。尚、制御信号のフォーマットは、当該制御信号が入力される製造装置の仕様に応じて適宜設定されてもよい。従って、生成手段は、製造装置の仕様等を考慮した上で、適切なフォーマットの制御信号を生成してもよい。
【００３１】
このような制御信号が製造装置に入力されることで、製造装置は、製造装置が備える各種構成要素（例えば、後述する半導体レーザ光源や当該半導体レーザ光源のアクチュエータ等）を制御信号に応じた態様で動作させる。具体的には、決定手段が決定したタイミングが到来すると、製造装置は、カッティングレーザ光の照射位置の径方向に沿ったシフトを開始する。その後、決定手段が決定したタイミングに基づいて製造装置がカッティングレーザ光の照射位置のシフトを継続することで、カッティングレーザ光の照射位置のシフト量が徐々に増加していく。その結果、製造装置は、最終的には、制御信号に応じて、カッティングレーザ光の照射位置を径方向に沿って所望のシフト量だけシフトすることができる。このため、製造装置は、マーク群のパターンに応じてレジストを除去することができる。その結果、マーク群が形成されている記録媒体を製造することができるスタンパが製造される。その結果、当該スタンパを用いて、マーク群が形成されている記録媒体が製造される。つまり、製造装置は、上述したマーク群がガイド層のガイドトラックに形成されている記録媒体を適切に製造することができる。
【００３２】
本実施形態では特に、生成手段は、カッティングレーザ光の照射位置を所望のシフト量だけシフトさせるように製造装置を動作させるための制御信号を生成するに当たって、カッティングレーザ光の照射位置のシフト量の目標値が時間の経過に合わせて変化するように、制御信号を生成する。
【００３３】
尚、「シフト量の目標値」とは、製造装置がカッティングレーザ光の照射位置のシフトを開始してから当該照射位置を最終的にどこまでシフトさせるべきかを示す指標を意味する。従って、製造装置は、カッティングレーザ光の照射位置のシフト量が目標値と一致することを目標に、照射位置を徐々にシフトさせていく（つまり、照射位置のシフト量を徐々に増加させていく）。但し、製造装置は、カッティングレーザ光の照射位置のシフト量が目標値と一致する前に（つまり、シフト量が目標値よりも小さい段階で）、照射位置のシフトを停止してもよい。つまり、目標値は、あくまで製造装置が備える各種構成要素（特に、カッティングレーザ光の照射位置をシフトさせるための構成要素）の動作の目標値に過ぎず、必ず実現させなければならない値を意味していなくともよい。
【００３４】
具体的には、生成手段は、決定手段が決定したタイミングが到来してから所定時間が経過するまでの間におけるカッティングレーザ光の照射位置のシフト量の目標値と、決定手段が決定したタイミングが到来してから所定時間が経過した後におけるカッティングレーザ光の照射位置のシフト量の目標値とが異なる値となるように、制御信号を生成する。
【００３５】
より具体的には、生成手段は、決定手段が決定したタイミングが到来してから所定時間が経過するまでの間（つまり、カッティングレーザ光の照射位置をシフトさせる期間のうちの初期）には、カッティングレーザ光の照射位置のシフト量の目標値として、所望のシフト量に対応する第１の目標値よりも絶対値が大きい第２の目標値が用いられるように、制御信号を生成する。つまり、生成手段は、決定手段が決定したタイミングが到来してから所定時間が経過するまでの間には、カッティングレーザ光の照射位置のシフト量の目標値として、相対的に大きな第２の目標値が用いられるように、制御信号を生成する。その結果、製造装置は、決定手段が決定したタイミングが到来してから所定時間が経過するまでの間は、カッティングレーザ光の照射位置のシフト量が第２の目標値に徐々に近づいていくように、カッティングレーザ光の照射位置を径方向に沿って徐々にシフトさせる。
【００３６】
一方で、生成手段は、決定手段が決定したタイミングが到来してから所定時間が経過した後（つまり、カッティングレーザ光の照射位置をシフトさせる期間のうちの後期）には、カッティングレーザ光の照射位置のシフト量の目標値として、所望のシフト量に対応する第１の目標値が用いられるように、制御信号を生成する。その結果、製造装置は、決定手段が決定したタイミングが到来してから所定時間が経過するまでの間は、カッティングレーザ光の照射位置のシフト量が第１の目標値に徐々に近づいていくように、カッティングレーザ光の照射位置を径方向に沿って徐々にシフトさせる。
【００３７】
尚、ここでいう「第１の目標値」は、カッティングレーザ光の照射位置を所望のシフト量だけシフトさせるために本来設定されるデフォールトの目標値であることが好ましい。つまり、「第１の目標値」は、カッティングレーザ光の照射位置のシフト量の目標値が時間の経過に合わせて変化しない場合に当該目標値として本来設定されるデフォールトの目標値であることが好ましい。このため、「第１の目標値」は、「第２の目標値」と比較して、カッティングレーザ光の照射位置の本来の目標値である所望のシフト量により一層近似する値となることが好ましい。更に、「第１の目標値」は、記録媒体上における記録マークの実際のシフト量（言い換えれば、記録マークを所定距離だけ左右にシフトさせるために必要なカッティングレーザ光の照射位置のシフト量であり、実質的には所望のシフト量）に対応する値であることが好ましい。従って、例えば、第１の目標値を用いながらカッティングレーザ光の照射位置をトラック中心から径方向に向かってシフトさせるようにカッティングレーザ光が原盤に照射されることで、トラック中心から径方向に沿って所定距離だけシフトした記録マークを形成するための構造が原盤に形成される。
【００３８】
また、ここでいう「第２の目標値」は、カッティングレーザ光の照射位置を所望のシフト量だけシフトさせるために本来設定されるデフォールトの目標値よりも大きな目標値であることが好ましい。つまり、「第２の目標値」は、カッティングレーザ光の照射位置のシフト量の目標値が時間の経過に合わせて変化しない場合に当該目標値として本来設定されるデフォールトの目標値よりも大きな目標値であることが好ましい。更に、「第２の目標値」は、記録媒体上における記録マークの実際のシフト量（言い換えれば、記録マークを所定距離だけ左右にシフトさせるために必要なカッティングレーザ光の照射位置のシフト量であり、実質的には所望のシフト量）よりも大きなシフト量に対応する値であることが好ましい。従って、例えば、第２の目標値を用いながらカッティングレーザ光の照射位置をトラック中心から径方向に向かってシフトさせるようにカッティングレーザ光が原盤に照射されることで、トラック中心から径方向に沿って所定距離よりも大きな距離だけシフトした記録マークを形成するための構造が原盤に形成される。
【００３９】
ここで、製造装置は、ステップ応答を用いてカッティングレーザ光の照射位置をシフトさせることが多い。この場合、カッティングレーザ光の照射位置のシフト量が目標値に到達するまでに要する時間が目標値によらずに一定になる。従って、相対的に大きな第２の目標値を用いている場合におけるカッティングレーザ光の照射位置のシフト量の変化率（典型的には、増加率）は、相対的に小さな第１の目標値を用いている場合におけるカッティングレーザ光の照射位置のシフト量の変化率（典型的には、増加率）よりも大きくなる。このため、本実施形態の信号生成装置は、カッティングレーザ光の照射位置のシフト量の目標値を時間の経過に合わせて変更しない（つまり、常に第１の目標値を用いている）比較例の信号生成装置と比較して、カッティングレーザ光の照射位置を相対的に迅速にシフトさせることが可能な制御信号を生成することができる。つまり、本実施形態の信号生成装置は、比較例の信号生成装置と比較して、カッティングレーザ光の照射位置を所望のシフト量だけシフトするために必要な時間を短くすることが可能な制御信号を生成することができる。従って、本実施形態の信号生成装置は、比較例の信号生成装置と比較して、記録マークの長さ（具体的には、ガイドトラックの進行方向に沿った長さ）を短くすることが可能な制御信号を生成することができる。その結果、本実施形態の信号生成装置は、比較例の信号生成装置と比較して、同じ記録領域に記録可能な記録マークの数（或いは、当該記録マークが示すデータビットの数）を多くすることが可能な制御信号を生成することができる。更には、記録マークの長さが相対的に短くなることに起因して、後に詳述するように、記録再生装置が一のガイドトラックをトレースしている場合において、当該一のガイドトラックに隣接する他のガイドトラックに形成されているマーク群に起因した信号処理の影響（例えば、プッシュプル信号へのクロストークの影響）が抑制される。
【００４０】
＜２＞
本実施形態の信号生成装置の他の態様では、前記生成手段は、前記決定手段が決定した前記タイミングが到来してから前記所定時間が経過するまでの間の前記照射位置の実際のシフト量の単位時間当たりの変化率が、前記決定手段が決定したタイミングが到来してから前記所定時間が経過した後の前記照射位置の実際のシフト量の単位時間当たりの変化率よりも大きくなるように前記照射位置をシフトさせることで前記マーク群を形成するように前記製造装置を動作させるための前記制御信号を生成する。
【００４１】
上述したように、生成手段は、カッティングレーザ光の照射位置のシフト量の目標値として相対的に大きい第２の目標値及び相対的に小さい第１の目標値をこの順に用いながら照射位置を徐々にシフトさせることでマーク群を形成するように製造装置を動作させるための制御信号を生成する。そうすると、生成手段は、実質的には、決定手段が決定したタイミングが到来してから所定時間が経過するまでの間の照射位置の実際のシフト量の単位時間当たりの変化率が、決定手段が決定したタイミングが到来してから所定時間が経過した後の照射位置の実際のシフト量の単位時間当たりの変化率よりも大きくなるように照射位置をシフトさせることでマーク群を形成するように製造装置を動作させるための制御信号を生成すると言える。従って、信号生成装置は、比較例の信号生成装置と比較して、カッティングレーザ光の照射位置を相対的に迅速にシフトさせることが可能な制御信号を生成することができる。その結果、上述した各種効果が好適に享受される。
【００４２】
＜３＞
本実施形態の信号生成装置の他の態様では、前記所定時間は、前記第２の目標値を前記照射位置のシフト量の目標値として用いながら前記照射位置を徐々にシフトさせている状態での前記照射位置の実際のシフト量が前記第１の目標値に到達するまでに要する時間よりも短い時間である。
【００４３】
この態様によれば、製造装置は、第１の目標値よりも大きな第２の目標値を照射位置のシフト量の目標値として用いながらカッティングレーザ光の照射位置を徐々にシフトさせている場合であっても、カッティングレーザ光の照射位置の実際のシフト量が第１の目標値を上回ってしまうことが殆ど又は全くない。従って、本実施形態の信号生成装置は、比較例の信号生成装置と比較して、カッティングレーザ光の照射位置を所望のシフト量だけシフトするために必要な時間を短くすることが可能な制御信号を生成することができる。その結果、上述した各種効果が好適に享受される。
【００４４】
＜４＞
本実施形態の信号生成装置の他の態様では、前記決定手段は、前記カッティングレーザ光を照射する他のタイミングを更に決定し、前記生成手段は、（ｉ）前記決定手段が決定した前記他のタイミングで前記カッティングレーザ光を照射することで前記ガイドトラックを形成すると共に、（ｉｉ）前記ガイドトラックの形成中に、前記決定手段が決定した前記タイミングで前記照射位置を前記径方向に沿って前記所望のシフト量だけシフトさせることで前記マーク群を形成するように前記製造装置を動作させるための前記制御信号を生成する。
【００４５】
この態様によれば、決定手段は、カッティングレーザ光の照射位置をシフトさせるタイミングに加えて、ガイドトラックを形成するためにカッティングレーザ光を照射する他のタイミングを決定する。また、生成手段は、決定手段が決定した他のタイミングでカッティングレーザ光を照射することでガイドトラックを形成するように製造装置を動作させるための制御信号を生成する。加えて、生成手段は、ガイドトラックの形成中に（つまり、他のタイミングでカッティングレーザ光が照射されている間に）決定手段が決定したタイミングでカッティングレーザ光の照射位置をシフトすることでマーク群を形成するように製造装置を動作させるための制御信号を生成する。このとき、生成手段は、ガイドトラックを形成するように製造装置を動作させるための制御信号（つまり、カッティングレーザ光を照射するように製造装置を動作させるための制御信号）と、マーク群を形成するように製造装置を動作させるための制御信号（つまり、カッティングレーザ光をシフトさせるように製造装置を動作させるための制御信号）とを、別個独立に生成してもよい。或いは、生成手段は、ガイドトラックを形成するように製造装置を動作させるための制御信号と、マーク群を形成するように製造装置を動作させるための制御信号とを包含する１つの制御信号を生成してもよい。
【００４６】
＜５＞
本実施形態の信号生成装置の他の態様では、前記製造装置から出力される前記原盤の回転位相を取得する取得手段と、前記取得手段が取得する前記回転位相の精度よりも高精度な周期でカウント値を出力するカウント手段と、前記マーク群が形成される回転位相位置に対応する前記回転位相及び前記カウント値の組み合わせを記憶する記憶手段とを更に備え、前記決定手段は、前記取得手段が取得する前記回転位相及び前記カウント手段が出力するカウント値の組み合わせが、前記記憶手段が記憶した前記回転位相及び前記カウント値との組み合わせと一致するタイミングを、前記照射位置を前記径方向に沿って前記所望のシフト量だけシフトさせる前記タイミングとして決定する。
【００４７】
この態様によれば、信号生成装置は、上述した決定手段及び生成手段に加えて、取得手段と、カウント手段と、記憶手段とを備えている。
【００４８】
取得手段は、製造装置から出力される回転位相を取得する。このため、製造装置は、原盤の回転位相（例えば、現在の回転位相がｘ°からｙ°の範囲にあることを示す情報）を検出すると共に、当該検出した回転位相を信号生成装置に対して出力することが好ましい。
【００４９】
カウント手段は、取得手段が取得する原盤の回転位相（つまり、製造装置が検出及び出力する原盤の回転位相）の精度よりも高精度な周期でカウント値を出力する。例えば、取得手段が取得する原盤の回転位相の精度（或いは、分解能）が、１°単位である場合には、カウント手段は、当該１°単位の回転位相が製造装置から出力される頻度よりも高い周期でカウント値を出力する。つまり、カウント手段は、製造装置からある回転位相が出力されてから次に回転位相が出力されるまでの間に、複数回のカウントを行うことができる。例えば、カウント手段は、製造装置から１０ミリ秒毎に１回回転位相が出力される場合には、１０ミリ秒の間に複数回（例えば、数回、数十回、数百回ないし数千回）のカウントを行うことができる。
【００５０】
記憶手段は、マーク群が形成される回転位相位置に対応する回転位相（つまり、取得手段が取得する回転位相）及びカウント値（つまり、カウント手段が出力するカウント値）を記憶する。つまり、記憶手段は、マーク群が形成される時点で取得される回転位相及びマーク群が形成される時点で出力されるカウント値を記憶する。特に、記憶手段は、同一回転位相位置に形成される同一のマーク群のうち、最初に形成されるマーク群の回転位相位置に対応する回転位相及びカウント値を記憶することが好ましい。つまり、記憶手段は、同一回転位相位置に形成される同一のマーク群のうち最初のマーク群が形成される時点で取得される回転位相及びマーク群が形成される時点で出力されるカウント値を記憶することが好ましい。
【００５１】
この態様では、決定手段は、取得手段が取得する回転位相及びカウント手段が出力するカウント値の組み合わせが、記憶手段が記憶した回転位相及びカウント値との組み合わせと一致するタイミングを、マーク群を形成するタイミング（具体的には、カッティングレーザ光の照射位置を径方向に沿って所望のシフト量だけシフトさせるタイミング）として決定する。特に、決定手段は、取得手段が取得する回転位相及びカウント手段が出力するカウント値の組み合わせが、記憶手段が記憶した回転位相及びカウント値との組み合わせと一致するタイミングを、同一回転位相位置に形成される同一のマーク群のうち最初に形成されるマーク群以外のマーク群（つまり、２番目以降に形成されるマーク群）を形成するタイミングとして決定することが好ましい。
【００５２】
ここで、仮に取得手段が取得する回転位相のみに基づいてタイミングが決定されるとすると、そのタイミングの精度は、製造装置が検出する回転位相の精度に大きく依存してしまう。その結果、タイミングの精度を維持することができずに、同一のマーク群を同一回転位相位置に適切に形成するためのタイミングを好適に且つ高精度に決定することができないおそれもある。しかるに、本実施形態では、取得手段が取得する回転位相のみならず、信号生成装置が独自に備えるカウント手段（つまり、高精度な周期でカウント値を出力することができるカウント手段）が出力するカウント値にも基づいてタイミングが決定される。このため、決定手段は、同一のマーク群を同一回転位相位置に適切に形成するためのタイミングを好適に且つ高精度に決定することができる。
【００５３】
＜６＞
上述の如く記憶手段が記憶した回転位相及びカウント値との組み合わせと、取得手段が取得する回転位相及びカウント手段が出力するカウント値の組み合わせが一致するタイミングを、マーク群を形成するタイミング（具体的には、カッティングレーザ光の照射位置を径方向に沿って所望のシフト量だけシフトさせるタイミング）として決定する信号生成装置の他の態様では、前記取得手段は、前記製造装置が備えるロータリエンコーダから前記原盤の回転位相に応じて間欠的に出力される回転パルスを取得し、前記カウント手段は、前記回転パルスのパルス周期よりも高精度な周期で前記カウント値を出力し、前記記憶手段は、前記マーク群が形成される回転位相位置に対応する前記回転パルス及び前記カウント値の組み合わせを記憶し、前記決定手段は、前記取得手段が取得する前記回転パルス及び前記カウント手段が出力するカウント値の組み合わせが、前記記憶手段が記憶した前記回転パルス及び前記カウント値との組み合わせと一致するタイミングを、前記照射位置を前記径方向に沿って前記所望のシフト量だけシフトさせる前記タイミングとして決定する。
【００５４】
この態様によれば、取得手段は、製造装置が備えているロータリエンコーダが出力する回転パルスを、上述した回転位相として取得することができる。従って、決定手段は、このような回転パルス及びカウント値に基づいて、同一のマーク群を同一回転位相位置に適切に形成するためのタイミングを好適に且つ高精度に決定することができる。
【００５５】
（信号生成方法の実施形態）
＜７＞
本実施形態の信号生成方法は、（ｉ−１）トラッキング用のガイドトラックが形成されているガイド層と、（ｉ−２）前記ガイド層上に積層されている複数の記録層とを備える記録媒体であって、（ｉｉ）前記ガイド層に照射されるガイドレーザ光が前記ガイド層上で形成するビームスポットに包含される複数のガイドトラックのうちの少なくとも二つのガイドトラックの夫々の同一回転位相位置に、当該夫々のガイドトラックのトラック中心を基準として左右に所定距離シフトしている一対の記録マークが組み合わせられた同一のマーク群が形成されている記録媒体の製造装置を動作させるための制御信号を生成する信号生成方法であって、前記製造装置は、回転する原盤に対して前記制御信号に応じ態様でカッティングレーザ光を照射することで、前記記録媒体を製造するためのスタンパを製造し、前記信号生成方法は、前記カッティングレーザ光の照射位置を、前記ガイドトラックの進行方向に直交する径方向に沿って所望のシフト量だけシフトさせるタイミングを決定する決定工程と、前記決定工程が決定した前記タイミングで前記照射位置を前記径方向に沿って前記所望のシフト量だけシフトさせることで前記マーク群を形成するように前記製造装置を動作させるための前記制御信号を生成する生成工程とを備え、前記生成工程は、（ｉ）前記決定工程が決定した前記タイミングが到来してから所定時間が経過するまでは、前記照射位置のシフト量の目標値として前記所望のシフト量に対応する第１の目標値よりも絶対値が大きい第２の目標値を用いながら、前記照射位置を徐々にシフトさせ、（ｉｉ）前記決定工程が決定したタイミングが到来してから前記所定時間が経過した後には、前記照射位置のシフト量の目標値として前記所望のシフト量に対応する前記第１の目標値を用いながら、前記照射位置を徐々にシフトさせることで前記マーク群を形成するように前記製造装置を動作させるための前記制御信号を生成する。
【００５６】
本実施形態の信号生成方法によれば、上述した本実施形態の信号生成装置が享受することができる各種効果と同様の効果を好適に享受することができる。
【００５７】
尚、上述した本実施形態の信号生成装置が取り得る各種態様に対応して、本実施形態の信号生成方法もまた各種態様をとってもよい。
【００５８】
本実施形態のこのような作用及び他の利得は次に説明する実施例から更に明らかにされる。
【００５９】
以上説明したように、本実施形態の信号生成装置は、決定手段と、生成手段とを備える。本実施形態の信号生成方法は、決定工程と、生成工程とを備える。従って、トラッキング用のガイドトラックが形成されたガイド層に対してトラッキング制御に及ぼす影響を抑えながら好適にデータを記録することができる記録媒体を製造するように製造装置を動作させるための制御信号を好適に生成することができる。
【実施例】
【００６０】
以下、図面を参照しながら、実施例について説明する。
【００６１】
（１）光ディスクの構成
はじめに、図１及び図２を参照して、光ディスク１１の構成について説明する。図１は、一枚の光ディスク１１を構成する複数の層を、その積層方向（図１中、上下方向）について相互に間隔をあけて分解することで、各層を見易くしてなる模式的な斜視図である。図２は、光ディスク１１の断面を、ガイドレーザ光ＬＢ１及び記録再生レーザ光ＬＢ２の照射態様と共に示す断面図である。
【００６２】
図１に示すように、光ディスク１１は、単一のガイド層１２と複数の（つまり、２層以上の）記録層１３とを備える。つまり、光ディスク１１は、いわゆるガイド層分離型光ディスクである。
【００６３】
光ディスク１１に対する記録動作（特に、所望の記録層１３に対する記録動作）が行われる場合には、ガイド層１２に集光されるトラッキング用のガイドレーザ光ＬＢ１と、複数の記録層１３の夫々に集光される記録再生レーザ光ＬＢ２とが、記録再生装置１００から同時に照射される。一方で、光ディスク１１に対する再生動作（特に、所望の記録層１３に対する再生動作）が行われる場合にもまた、ガイドレーザ光ＬＢ１と記録再生レーザ光ＬＢ２とが、記録再生装置１００から同時に照射される。但し、光ディスク１１に対する再生動作が行われる場合には、記録再生レーザ光ＬＢ２が、トラッキング用に用いられてもよい（つまり、ガイドレーザ光ＬＢ１が用いられなくともよい）。
【００６４】
光ディスク１１はＣＬＶ方式を採用することが好ましい。同心円状又は螺旋状のガイドトラックＴＲ（具体的には、後述するグルーブトラックＧＴ及びランドトラックＬＴ）にには、ＣＬＶ方式に準拠して、制御情報（例えば、クロック情報やアドレス情報や記録開始タイミング情報等）が予め記録されている。本実施例では、このような制御情報は、トラック中心を基準として左右に等距離シフトしている一対の記録マークＭＬ及びＭＲ（図３及び図５参照）が組み合わせられたマーク群ＭＧ（図４（ａ）から図４（ｃ）及び図６（ａ）から図６（ｃ）参照）を用いて記録されている。このようなマーク群ＭＧは、光ディスク１１の製造時に予めガイド層１２（言い換えれば、ガイド層１２が備えるガイドトラックＴＲ）に形成されることが好ましい。尚、一対の記録マークＭＬ及びＭＲが組み合わせられたマーク群ＭＧについては、図３以降の図面を参照しながら、後に詳述する。
【００６５】
尚、ガイド層１２に形成されているガイドトラックＴＲは、シングルスパイラルであってもよい。この場合、グルーブトラックＧＴは、ガイド層１２の所定の領域でランドトラックＬＴに切り替わることが好ましい。同様に、ランドトラックＬＴは、ガイド層１２の所定の領域でグルーブトラックＧＴに切り替わることが好ましい。但し、ガイドトラックＴＲは、グルーブトラックＧＴとランドトラックＬＴとが分離しているダブルスパイラルであってもよい。
【００６６】
図２に示すように、記録再生レーザ光ＬＢ２は、ガイド層１２上に積層された複数の記録層１３のうち記録対象又は再生対象たる一つの所望の記録層１３に集光される。記録再生レーザ光ＬＢ２は、例えばＢＤ（Ｂｌｕ−ｒａｙ  Ｄｉｓｃ：ブルーレイディスク）（登録商標）と同じく比較的短波長の青色レーザビームである。一方で、ガイドレーザ光ＬＢ１は、例えばＤＶＤと同じく比較的長波長の赤色レーザビームである。ガイドレーザ光ＬＢ１によりガイド層１２上に形成されるビームスポットの直径は、記録再生レーザ光ＬＢ２により記録層１３上に形成されるビームスポットの直径と比べて、例えば数倍程度となる。
【００６７】
複数の記録層１３の夫々は、独立して記録情報を光学的に記録及び再生可能な記録層である。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。
【００６８】
２光子吸収材料を利用した光ディスク構造としては、(i)光ディスク１１の全体が２光子吸収材料からなるバルク型と、(ii)２光子吸収材料の記録層及び別の透明材料のスペーサ層を交互に積層した層構造型とが存在する。層構造型は、記録層１３とスペーサ層との間の界面で反射される光を利用してフォーカス制御が可能となる利点がある。バルク型は、多層成膜工程が少なく、製造コストを抑えられる利点がある。
【００６９】
複数の記録層１３は夫々、上述の２光子吸収材料、相変化材料以外にも、例えば色素材料等であってもよい。複数の記録層１３には夫々、未記録状態では、ガイドトラックＴＲは予め形成されておらず、例えば全域が鏡面或いは凹凸のない平面である。
【００７０】
尚、以下の説明では、説明の便宜上、グルーブトラックＧＴ及びランドトラックＬＴがストレート構造を有する例を示す。しかしながら、グルーブトラックＧＴ及びランドトラックＬＴには、ウォブリングが適宜に施されていてよい。例えば、グルーブトラックＧＴ又はランドトラックＬＴは夫々、例えば光反射性の材料からなる反射膜が、凹凸溝が形成された基材としての透明膜上に成膜され、更に保護膜としての透明又は不透明な膜で埋められることで形成されてよい。このようなグルーブトラックＧＴやランドトラックＬＴの側壁に、ウォブリングが施されていてよい。
【００７１】
（２）ガイド層に形成されるマーク群の構成
続いて、図３から図６を参照して、ガイド層１２に形成されるマーク群ＭＧ（つまり、トラック中心を基準として左右に等距離シフトしている一対の記録マークＭＬ及びＭＲが組み合わせられたマーク群ＭＧ）の構成について説明する。
【００７２】
（２−１）グルーブトラックに形成されるマーク群の構成
はじめに、図３及び図４（ａ）から図４（ｃ）を参照して、ガイド層１２に形成されるマーク群ＭＧのうちグルーブトラックＧＴに形成されるマーク群ＭＧの構成について説明する。図３は、グルーブトラックＧＴに形成されるマーク群ＭＧを構成する一対の記録マークＭＬ及びＭＲの構成を示す平面図である。図４（ａ）から図４（ｃ）は、グルーブトラックＧＴに形成されるマーク群ＭＧによって多種類のデータ（具体的には、ビットデータ及び同期データ）が記録される態様を示す平面図である。
【００７３】
図３に示すように、グルーブトラックＧＴには、当該グルーブトラックＧＴのトラック中心を基準として左右に等距離シフトした一対の記録マークＭＬ及びＭＲが形成されている。より具体的には、グルーブトラックＧＴには、(i)グルーブトラックＧＴのトラック中心を基準として左側（例えば、グルーブトラックＧＴの進行方向に対して左側）に所定距離だけシフトした記録マークＭＬと、(ii)グルーブトラックＧＴのトラック中心を基準として右側（例えば、グルーブトラックＧＴの進行方向に対して右側）に所定距離だけシフトした記録マークＭＲが形成されている。
【００７４】
グルーブトラックＧＴに形成されるマーク群ＭＧは、このような一対の記録マークＭＬ及びＭＲから構成される。例えば、図３は、グルーブトラックＧＴに形成されるマーク群ＭＧが、一対の記録マークＭＬ及びＭＲそのものである（つまり、ただ一つの一対の記録マークＭＬ及びＭＲが組み合わせられた）マーク群ＭＧである例を示している。但し、後の図４（ａ）から図４（ｃ）等を参照して説明するように、グルーブトラックＧＴに形成されるマーク群ＭＧは、一対の記録マークＭＬ及びＭＲが複数組み合わせられたマーク群ＭＧであってもよいし、一又は複数の一対の記録マークＭＬ及びＭＲと一又は複数のその他の記録マーク（例えば、記録マークの中心がトラック中心上に位置する他の記録マークＭＣ（図４（ａ）から図４（ｃ）参照）若しくは記録マークが形成されない領域（図６（ａ）から図６（ｃ）参照）とが組み合わせられたマーク群ＭＧであってもよい。
【００７５】
本実施例では、同一のマーク群ＭＧは、複数のグルーブトラックＧＴの夫々の同一回転位相位置（言い換えれば、同一回転角度位置）に形成される。つまり、同一のマーク群ＭＧは、グルーブトラックＧＴの進行方向（図３中の左側から右側に向かう方向）に対して直交する方向（つまり、図３の上下方向）に沿って相隣接する又は配列するように、複数のグルーブトラックＧＴの夫々に形成される。図３は、３つのグルーブトラックＧＴ（つまり、トラック番号が「ｋ−２」となるグルーブトラックＧＴ、トラック番号が「ｋ」となるグルーブトラックＧＴ及びトラック番号が「ｋ＋２」となるグルーブトラックＧＴ）の夫々の同一回転位相位置に、記録マークＭＬと記録マークＭＲとがグルーブトラックＧＴの進行方向に沿ってこの順に配列されているマーク群ＭＧが形成される例を示している。
【００７６】
特に、同一のマーク群ＭＧは、ガイドレーザ光ＬＢ１のビームスポット（つまり、ガイド層１２上でのビームスポット）に包含されることになる複数のグルーブトラックＧＴの夫々の同一回転位相位置に形成される。言い換えれば、同一のマーク群ＭＧが同一回転位相位置に形成されることになる複数のグルーブトラックＧＴの数は、ガイドレーザ光ＬＢ１のビームスポットに包含されるグルーブトラックＧＴの数と同一になる。図３は、ガイドレーザ光ＬＢ１のビームスポットに包含されることになる複数のグルーブトラックＧＴの数が「３本」である例を示している。従って、図３は、３つのグルーブトラックＧＴの夫々の同一回転位相位置に、同一のマーク群ＭＧ（つまり、記録マークＭＬと記録マークＭＲとがグルーブトラックＧＴの進行方向に沿ってこの順に配列されているマーク群ＭＧ）が形成される例を示している。
【００７７】
尚、図３は、グルーブトラックＧＴの進行方向に沿って、記録マークＭＬと記録マークＭＲとがこの順に配列されているマーク群ＭＧの例を示している。しかしながら、グルーブトラックＧＴの進行方向に沿って、記録マークＭＲと記録マークＭＬとがこの順に配列されているマーク群ＭＧが用いられてもよい。
【００７８】
また、図３では、周囲と比較して凹部となっている箇所がハッチングで示されている。一方で、周囲と比較して凸部となっている箇所が空白（白色）で示されている。従って、本実施例の光ディスク１１では、グルーブトラックＧＴが凹部となり且つランドトラックＬＴが凸部となると共に、記録マークＭＬ及びＭＲが凹部となる例を示している。但し、グルーブトラックＧＴが凸部となり且つランドトラックＬＴが凹部となると共に、記録マークＭＬ及びＭＲが凸部となっていてもよい。
【００７９】
本実施例では、このようなマーク群ＭＧを用いて、制御情報（例えば、クロック情報やアドレス情報や記録開始タイミング情報等）がガイド層１２に（特に、グルーブトラックＧＴに）予め記録されている。より具体的には、本実施例では、同一回転位相位置に形成される同一のマーク群ＭＧを用いて、制御情報の一部を構成するビットデータがガイド層１２に予め記録されている。従って、ガイド層１２の複数箇所に形成された複数の異なるマーク群ＭＧから得られるビットデータを組み合わせる（言い換えれば、統合する）ことで、一つの制御情報が得られる。更に、本実施例では、このようなマーク群ＭＧを用いて、制御情報の少なくとも一部を構成するビットデータを読み取るときの同期をとるための同期データがガイド層１２に記録される。但し、制御情報の少なくとも一部を構成するビットデータや同期データに限らず、マーク群ＭＧを用いて、任意のデータがガイド層１２に予め記録されていてもよい。
【００８０】
具体的には、図４（ａ）に示すように、トラック中心上に位置する記録マークＭＣと、トラック中心を基準として左側に所定距離シフトしている記録マークＭＬと、トラック中心上に位置する記録マークＭＣと、トラック中心を基準として右側に所定距離シフトしている記録マークＭＲとが、グルーブトラックＧＴの進行方向に沿ってこの順に配列されているマーク群ＭＧが、同期データを構成するマーク群ＭＧとして、グルーブトラックＧＴに形成されてもよい。尚、図４（ａ）は、記録マークＭＣ、記録マークＭＬ及び記録マークＭＲの夫々の長さ（具体的には、グルーブトラックＧＴの進行方向に沿った長さ）が、全て「ａ」となる例を示している。
【００８１】
この場合、図４（ａ）に示すマーク群ＭＧが形成されたグルーブトラックＧＴをサーチするガイドレーザ光ＬＢ１の戻り光から生成されるプッシュプル信号の信号レベルは、記録マークＭＣ、記録マークＭＬ、記録マークＭＣ及び記録マークＭＲをこの順に読み取ることに起因して、「０」、「＋（ハイ）」、「０」及び「−（ロー）」と変化する（但し、ガイドレーザ光ＬＢ１のビームスポットの中心がグルーブトラックＧＴのトラック中心から左側にずれた状態が、プッシュプル信号の極性がマイナスになる状態に相当すると仮定している）。従って、信号レベルが「０」、「＋」、「０」及び「−」の順に変化するプッシュプル信号から、同期データが読み取られる。
【００８２】
図４（ｂ）に示すように、トラック中心を基準として右側に所定距離シフトしている記録マークＭＲと、トラック中心を基準として左側に所定距離シフトしている記録マークＭＬとが、グルーブトラックＧＴの進行方向に沿ってこの順に配列されているマーク群ＭＧが、ビットデータ（ビット０）を構成するマーク群ＭＧとして、グルーブトラックＧＴに形成されてもよい。尚、図４（ｂ）は、記録マークＭＬ及び記録マークＭＲの夫々の長さ（具体的には、グルーブトラックＧＴの進行方向に沿った長さ）が、全て「ａ」となる例を示している。
【００８３】
この場合、図４（ｂ）に示すマーク群ＭＧが形成されたグルーブトラックＧＴをサーチするガイドレーザ光ＬＢ１の戻り光から生成されるプッシュプル信号の信号レベルは、記録マークＭＲ及び記録マークＭＬをこの順に読み取ることに起因して、「−」及び「＋」、と変化する。従って、信号レベルが「−」及び「＋」の順に変化するプッシュプル信号から、ビットデータ（ビット０）が読み取られる。
【００８４】
図４（ｃ）に示すように、トラック中心を基準として左側に所定距離シフトしている記録マークＭＬと、トラック中心を基準として右側に所定距離シフトしている記録マークＭＲとが、グルーブトラックＧＴの進行方向に沿ってこの順に配列されているマーク群ＭＧが、ビットデータ（ビット１）を構成するマーク群ＭＧとして、グルーブトラックＧＴに形成されてもよい。尚、図４（ｃ）は、記録マークＭＬ及び記録マークＭＲの夫々の長さ（具体的には、グルーブトラックＧＴの進行方向に沿った長さ）が、全て「ａ」となる例を示している。
【００８５】
この場合、図４（ｃ）に示すマーク群ＭＧが形成されたグルーブトラックＧＴをサーチするガイドレーザ光ＬＢ１の戻り光から生成されるプッシュプル信号の信号レベルは、記録マークＭＬ及び記録マークＭＲをこの順に読み取ることに起因して、「＋」及び「−」、と変化する。従って、信号レベルが「＋」及び「−」の順に変化するプッシュプル信号から、ビットデータ（ビット１）が読み取られる。
【００８６】
尚、図４に示すマーク群ＭＧ（つまり、同期データを構成するマーク群ＭＧ、並びにビットデータ（ビット０）を構成するマーク群ＭＧ及びビットデータ（ビット１）を構成するマーク群ＭＧ）の態様はあくまで一例である。従って、図４に示す態様以外の態様を示す３種類のマーク群ＭＧを用いて、同期データ並びにビットデータ（ビット０）及びビットデータ（ビット１）が構成されてもよい。
【００８７】
（２−２）ランドトラックに形成されるマーク群の構成
続いて、図５及び図６（ａ）から図６（ｃ）を参照して、ガイド層１２に形成されるマーク群ＭＧのうちランドトラックＬＴに形成されるマーク群ＭＧの構成について説明する。図５は、ランドトラックＬＴに形成されるマーク群ＭＧを構成する一対の記録マークＭＬ及びＭＲの構成を示す平面図である。図６（ａ）から図６（ｃ）は、ランドトラックＬＴに形成されるマーク群ＭＧによって多種類のデータ（具体的には、ビットデータ及び同期データ）が記録される態様を示す平面図である。
【００８８】
図５に示すように、ランドトラックＬＴには、当該ランドトラックＬＴのトラック中心を基準として左右に等距離シフトした一対の記録マークＭＬ及びＭＲが形成されている。より具体的には、ランドトラックＬＴには、(i)ランドトラックＬＴのトラック中心を基準として左側（例えば、ランドトラックＬＴの進行方向に対して左側）のに所定距離だけシフトした記録マークＭＬと、(ii)ランドトラックＬＴのトラック中心を基準として右側（例えば、ランドトラックＬＴの進行方向に対して右側）に所定距離だけシフトした記録マークＭＲが形成されている。
【００８９】
ランドトラックＬＴに形成されるマーク群ＭＧは、このような一対の記録マークＭＬ及びＭＲから構成される。例えば、図５は、ランドトラックＬＴに形成されるマーク群ＭＧが、一対の記録マークＭＬ及びＭＲそのものである（つまり、ただ一つの一対の記録マークＭＬ及びＭＲが組み合わせられた）マーク群ＭＧである例を示している。但し、後の図６等を参照して説明するように、ランドトラックＬＴに形成されるマーク群ＭＧは、一対の記録マークＭＬ及びＭＲが複数組み合わせられたマーク群であってもよいし、一又は複数の一対の記録マークＭＬ及びＭＲと一又は複数のその他の記録マーク（例えば、記録マークの中心がトラック中心上に位置する他の記録マークＭＣ（図４（ａ）から図４（ｃ）参照）若しくは記録マークが形成されない領域（図６（ａ）から図６（ｃ）参照）とが組み合わせられたマーク群ＭＧであってもよい。
【００９０】
本実施例では、同一のマーク群ＭＧは、複数のランドトラックＬＴの夫々の同一回転位相位置（言い換えれば、同一回転角度位置）に形成される。つまり、同一のマーク群ＭＧは、ランドトラックＬＴの進行方向（図５中の左側から右側に向かう方向）に対して直交する方向（つまり、図５の上下方向）に沿って相隣接する又は配列するように、複数のランドトラックＬＴの夫々に形成される。図５は、３つのランドトラックＬＴ（つまり、トラック番号が「ｋ−１」となるランドトラックＬＴ、トラック番号が「ｋ＋１」となるランドトラックＬＴ及びトラック番号が「ｋ＋３」となるランドトラックＬＴ）の夫々の同一回転位相位置に、記録マークＭＬと記録マークＭＲとがランドトラックＬＴの進行方向に沿ってこの順に配列されているマーク群ＭＧが形成される例を示している。
【００９１】
特に、同一のマーク群ＭＧは、ガイドレーザ光ＬＢ１のビームスポット（つまり、ガイド層１２上でのビームスポット）に包含されることになる複数のランドトラックＬＴの夫々の同一回転位相位置に形成される。言い換えれば、同一のマーク群ＭＧが同一回転位相位置に形成されることになる複数のランドトラックＬＴの数は、ガイドレーザ光ＬＢ１のビームスポットに包含されるランドトラックＬＴの数と同一になる。図５は、ガイドレーザ光ＬＢ１のビームスポットに包含されることになる複数のランドトラックＬＴの数が「３本」である例を示している。従って、図５は、３つのランドトラックＬＴの夫々の同一回転位相位置に、同一のマーク群ＭＧ（つまり、記録マークＭＬと記録マークＭＲとがランドトラックＬＴの進行方向に沿ってこの順に配列されているマーク群ＭＧ）が形成される例を示している。
【００９２】
尚、図５は、ランドトラックＬＴの進行方向に沿って、記録マークＭＬと記録マークＭＲとがこの順に配列されているマーク群ＭＧの例を示している。しかしながら、ランドトラックＬＴの進行方向に沿って、記録マークＭＲと記録マークＭＬとがこの順に配列されているマーク群ＭＧが用いられてもよい。
【００９３】
本実施例では、このようなマーク群ＭＧを用いて、制御情報（例えば、クロック情報やアドレス情報や記録開始タイミング情報等）がガイド層１２に（特に、ランドトラックＬＴに）記録される。より具体的には、本実施例では、同一回転位相位置に形成される同一のマーク群ＭＧを用いて、制御情報の一部を構成するビットデータがガイド層１２に予め記録されている。従って、ガイド層１２の複数箇所に形成された複数の異なるマーク群ＭＧから得られるビットデータを組み合わせる（言い換えれば、統合する）ことで、一つの制御情報が得られる。更に、本実施例では、このようなマーク群ＭＧを用いて、制御情報の少なくとも一部を構成するビットデータを読み取るときの同期をとるための同期データがガイド層１２に記録される。但し、制御情報の少なくとも一部を構成するビットデータや同期データに限らず、マーク群ＭＧを用いて、任意のデータがガイド層１２に記録されてもよい。
【００９４】
具体的には、図６（ａ）に示すように、記録マークが形成されない領域と、トラック中心を基準として左側に所定距離シフトしている記録マークＭＬと、記録マークが形成されない領域と、トラック中心を基準として右側に所定距離シフトしている記録マークＭＲとが、ランドトラックＬＴの進行方向に沿ってこの順に配列されているマーク群ＭＧが、同期データを構成するマーク群ＭＧとして、ランドトラックＬＴに形成されてもよい。尚、図６（ａ）は、記録マークが形成されない領域、記録マークＭＬ及び記録マークＭＲの夫々の長さ（具体的には、ランドトラックＬＴの進行方向に沿った長さ）が、全て「ａ」となる例を示している。
【００９５】
この場合、図６（ａ）に示すマーク群ＭＧが形成されたランドトラックＬＴをサーチするガイドレーザ光ＬＢ１の戻り光から生成されるプッシュプル信号の信号レベルは、記録マークが形成されていない領域、記録マークＭＬ、記録マークが形成されていない領域及び記録マークＭＲをこの順に読み取ることに起因して、「０」、「＋」、「０」及び「−」と変化する。従って、信号レベルが「０」、「＋」、「０」及び「−」の順に変化するプッシュプル信号から、同期データが読み取られる。
【００９６】
図６（ｂ）に示すように、トラック中心を基準として右側に所定距離シフトしている記録マークＭＲと、トラック中心を基準として左側に所定距離シフトしている記録マークＭＬとが、ランドトラックＬＴの進行方向に沿ってこの順に配列されているマーク群ＭＧが、ビットデータ（ビット０）を構成するマーク群ＭＧとして、ランドトラックＬＴに形成されてもよい。尚、図６（ｂ）は、記録マークＭＬ及び記録マークＭＲの夫々の長さ（具体的には、ランドトラックＬＴの進行方向に沿った長さ）が、全て「ａ」となる例を示している。
【００９７】
この場合、図６（ｂ）に示すマーク群ＭＧが形成されたランドトラックＬＴをサーチするガイドレーザ光ＬＢ１の戻り光から生成されるプッシュプル信号の信号レベルは、記録マークＭＲ及び記録マークＭＬをこの順に読み取ることに起因して、「−」及び「＋」、と変化する。従って、信号レベルが「−」及び「＋」の順に変化するプッシュプル信号から、ビットデータ（ビット０）が読み取られる。
【００９８】
図６（ｃ）に示すように、トラック中心を基準として左側に所定距離シフトしている記録マークＭＬと、トラック中心を基準として右側に所定距離シフトしている記録マークＭＲとが、ランドトラックＬＴの進行方向に沿ってこの順に配列されているマーク群ＭＧが、ビットデータ（ビット１）を構成するマーク群ＭＧとして、ランドトラックＬＴに形成されてもよい。尚、図６（ｃ）は、記録マークＭＬ及び記録マークＭＲの夫々の長さ（具体的には、ランドトラックＬＴの進行方向に沿った長さ）が、全て「ａ」となる例を示している。
【００９９】
この場合、図６（ｃ）に示すマーク群ＭＧが形成されたランドトラックＬＴをサーチするガイドレーザ光ＬＢ１の戻り光から生成されるプッシュプル信号の信号レベルは、記録マークＭＬ及び記録マークＭＲをこの順に読み取ることに起因して、「＋」及び「−」、と変化する。従って、信号レベルが「＋」及び「−」の順に変化するプッシュプル信号から、ビット１を示すビットデータが読み取られる。
【０１００】
尚、図６に示すマーク群ＭＧ（つまり、同期データを構成するマーク群ＭＧ、並びにビットデータ（ビット０）を構成するマーク群ＭＧ及びビットデータ（ビット１）を構成するマーク群ＭＧ）の態様はあくまで一例である。従って、図６に示す態様以外の態様を示す３種類のマーク群ＭＧを用いて、同期データ並びにビットデータ（ビット０）及びビットデータ（ビット１）が構成されてもよい。
【０１０１】
このようなランドグルーブＬＴに形成されるマーク群ＭＧは、光ディスク１１の製造時には、グルーブトラックＧＴの形成と同時に形成されることが好ましい。というのも、グルーブトラックＧＴ並びに記録マークＭＲ及びＭＬが凹部となるため、光ディスク１１の製造時には、グルーブトラックＧＴ及びマーク群ＭＧに相当する位置に対してカッティングレーザ光を用いたカッティングが行われる。つまり、グルーブトラックＧＴに相当する位置並びに記録マークＭＲに相当する位置及び記録マークＭＬに相当する位置に対して、カッティングレーザ光が照射される。一方で、ランドトラックＬＴが凸部となるため、光ディスク１１の製造時には、ランドトラックＬＴに相当する位置に対してカッティングレーザ光を用いたカッティングが行われなくともよい。つまり、ランドトラックＬＴに相当する位置に対して、カッティングレーザ光が照射されなくともよい。このため、ランドグルーブＬＴ上に形成されるマーク群ＭＧをグルーブトラックＧＴの形成と同時に形成すれば、ランドトラックＬＴの形成時にカッティングレーザ光を全く照射しなくともよくなる（言い換えれば、グルーブトラックＧＴの形成時にカッティングレーザ光のオンオフを切り替えればよくなる）。従って、光ディスク１１の製造工程の簡略化が図られる。
【０１０２】
（２−３）マーク群の分布の態様
続いて、図７から図９を参照して、ガイド層１２に形成されているマーク群ＭＧの分布の態様について説明する。図７は、ガイド層１２（更には、記録層１３）のデータ構造を示すデータ構造図である。図８は、特定のスロットに形成されるマーク群ＭＧの一例を示す平面図である。図９は、複数のマーク群ＭＧが複数のスロットに分散して記録される態様を示す平面図である。
【０１０３】
図７に示すように、記録層１３は、ＥＣＣブロックという単位で区分される。つまり、記録層１３上に記録される記録情報は、ＥＣＣブロックという単位で記録される。このため、記録層１３と同様に、ガイド層１２もまた、ＥＣＣブロックという単位で区分される。つまり、ガイド層１２上に記録される制御情報（例えば、アドレス情報やクロック情報や記録開始タイミング情報等）は、ＥＣＣブロックという単位で記録される。
【０１０４】
１個のＥＣＣブロックは、８３個のグループという単位に細分化される。１個のグループは、８個のスロットという単位に細分化される。１個のスロットは、２１ウォブルに相当するサイズを有している。２１ウォブルのうちヘッダに相当する３ウォブル及びフッタに相当３ウォブルは、夫々、隣接するスロットとの間の干渉を防ぐための緩衝領域に相当する。従って、１個のスロットには、実質的には、最大で１５ウォブルに相当するサイズの情報を記録することができる。
【０１０５】
図８に示すように、２つの同期データ及び４つのビットデータを示すマーク群ＭＧは、１５ウォブルのうちの８ウォブルを用いて形成される。つまり、図８に示す例では、１個のスロットには、４ビットのビットデータを記録することができる。尚、１５ウォブルの全てをビットデータの記録に使用することが許容されるとすれば、１個のスロットには、２つの同期データ及び１１つのビットデータを示すマーク群ＭＧを形成することができる。
【０１０６】
図９に示すように、本実施例では、このようなスロットの単位を利用して、異なるデータ群ＭＧが同一のグルーブトラックＧＴ又は同一のランドトラックＬＴの同一回転位相位置に重複して形成されないように構成される。以下、トラック番号が「ｋ」となるガイドトラックＴＲを中心とする複数のガイドトラックＴＲの夫々の同一回転位相位置に形成されるマーク群ＭＧを、マーク群ＭＧ（ｋ）と称して説明を進める。
【０１０７】
図９に示すように、マーク群ＭＧ（ｋ）がスロット＃１に形成されているとする。この場合、マーク群ＭＧ（ｋ）は、トラック番号が「ｋ」となるグルーブトラックＧＴのみならず、トラック番号が「ｋ−２」となるグルーブトラックＧＴ及びトラック番号が「ｋ＋２」となるグルーブトラックＧＴにも同様に形成されている。従って、マーク群ＭＧ（ｋ）以外の他のマーク群ＭＧは、トラック番号が「ｋ−２」となるグルーブトラックＧＴからトラック番号が「ｋ＋２」となるグルーブトラックＧＴに至るまでのガイドトラックＴＲ上のスロット＃１の位置には形成されない。これにより、マーク群ＭＧ（ｋ）と当該マーク群ＭＧ（ｋ）以外の他のマーク群ＭＧとが、同一のガイドトラックＴＲ上の同一回転位相位置に重複的に形成されることはなくなる。
【０１０８】
一方で、マーク群ＭＧ（ｋ）以外の他のマーク群ＭＧは、トラック番号が「ｋ−２」となるグルーブトラックＧＴからトラック番号が「ｋ＋２」となるグルーブトラックＧＴに至るまでのガイドトラックＴＲ上であっても、スロット＃１以外のスロットには形成されてもよい。つまり、本実施例では、あるマーク群ＭＧ（ｋ）と、当該マーク群ＭＧ（ｋ）が形成されるガイドトラックＴＲと同一のガイドトラックＴＲ上に形成される他のマーク群ＭＧ（例えば、マーク群ＭＧ（ｋ−４）からマーク群ＭＧ（ｋ−１）及びマーク群ＭＧ（ｋ＋１）からマーク群ＭＧ（ｋ＋４））とは、別々のスロットに形成されることが好ましい。これにより、マーク群ＭＧ（ｋ）と当該マーク群ＭＧ（ｋ）以外の他のマーク群ＭＧとが、同一のガイドトラックＴＲ上の同一回転位相位置に重複的に形成されることはなくなる。
【０１０９】
例えば、図９は、ＭＧ（ｋ−１）が、トラック番号が「ｋ−３」となるランドトラックＬＴ、トラック番号が「ｋ−１」となるランドトラックＬＴ及びトラック番号が「ｋ＋１」となるランドトラックＬＴのスロット＃８の位置に形成される例を示している。同様に、例えば、図９は、ＭＧ（ｋ＋１）が、トラック番号が「ｋ−１」となるランドトラックＬＴ、トラック番号が「ｋ＋１」となるランドトラックＬＴ及びトラック番号が「ｋ＋３」となるランドトラックＬＴのスロット＃２の位置に形成される例を示している。同様に、例えば、図９は、ＭＧ（ｋ＋２）が、トラック番号が「ｋ」となるグルーブトラックＧＴ、トラック番号が「ｋ＋２」となるグルーブトラックＧＴ及びトラック番号が「ｋ＋４」となるグルーブトラックＧＴのスロット＃３の位置に形成される例を示している。同様に、例えば、図９は、ＭＧ（ｋ＋３）が、トラック番号が「ｋ＋１」となるランドトラックＬＴ、トラック番号が「ｋ＋３」となるランドトラックＬＴ及びトラック番号が「ｋ＋５」となるランドトラックＬＴのスロット＃４の位置に形成される例を示している。同様に、例えば、図９は、ＭＧ（ｋ＋４）が、トラック番号が「ｋ＋２」となるグルーブトラックＧＴ、トラック番号が「ｋ＋４」となるグルーブトラックＧＴ及びトラック番号が「ｋ＋６」となるグルーブトラックＧＴのスロット＃５の位置に形成される例を示している。このように、マーク群ＭＧが形成される回転半径位置をスロットの単位で区別することで、トラック番号が「ｋ−２」となるグルーブトラックＧＴからトラック番号が「ｋ＋２」となるグルーブトラックＧＴに至るまでのガイドトラックＴＲに一部の記録マークが形成されることになるマーク群ＭＧ（ｋ−１）からマーク群ＭＧ（ｋ＋４）は、互いに重複する位置（つまり、同一回転半径位置）に形成されなくなる。
【０１１０】
尚、記録マークＭＬ及びＭＲのトラック中心からのシフト量は、全てのマーク群ＭＧにおいて統一されていてもよいし、マーク群ＭＧ毎に異なっていてもよい。例えば、図９に示す例で言えば、マーク群ＭＧ（ｋ）を構成する記録マークＭＬ及びＭＲのトラック中心からのシフト量は、マーク群ＭＧ（ｋ）以外の他のマーク群ＭＧを構成する記録マークＭＬ及びＭＲのトラック中心からのシフト量と同一であってもよいし、異なっていてもよい。要は、マーク群ＭＧを構成する記録マークＭＬ及びＭＲのトラック中心からのシフト量は、少なくとも同一のマーク群ＭＧ内において統一されていれば足りる。例えば、マーク群ＭＧ（ｋ）を構成する記録マークＭＬ及びＭＲのトラック中心からのシフト量は、少なくともマーク群ＭＧ（ｋ）内において統一されていれば足りる。
【０１１１】
（２−４）マーク群の特性
続いて、本実施例のマーク群ＭＧの特性について説明する。
【０１１２】
まず、上述したように、マーク群ＭＧの形成の有無に関わらず、ガイドトラックＴＲ上をサーチするガイドレーザ光ＬＢ１の戻り光からは、ガイドレーザ光ＬＢ１のビームスポットの中心とガイドトラックＴＲのトラック中心との間の位置関係に応じたプッシュプル信号が得られる。その結果、当該プッシュプル信号に基づくトラッキング制御が行われる。
【０１１３】
一方で、マーク群ＭＧが形成されたガイドトラックＴＲ上をサーチするガイドレーザ光ＬＢ１の戻り光から得られるプッシュプル信号の信号レベルは、マーク群ＭＧを構成する記録マークＭＬ及びＭＲのパターンに応じて変動する（例えば、図４（ａ）から図４（ｃ）及び図６（ａ）から図６（ｃ）参照）。つまり、本実施例では、プッシュプル信号の信号レベルは、ガイドレーザ光ＬＢ１のビームスポットの中心とマーク群ＭＧを構成する記録マークとの間の位置関係に応じて変動する。しかしながら、マーク群ＭＧが、トラック中心から左右に等距離シフトした一対の記録マークＭＬ及びＭＲが組み合わせられたマーク群ＭＧであるため、プッシュプル信号の信号レベルの変動の平均値（言い換えれば、積分値）は、ゼロになる。従って、マーク群ＭＧがガイドトラックＴＲ上に形成されたとしても、当該マーク群ＭＧが、プッシュプル信号に基づくトラッキング制御に大きな悪影響（例えば、正常なトラッキング制御を行うことができない程度の悪影響）を及ぼすことは殆ど又は全くない。従って、マーク群ＭＧがガイドトラックＴＲ上に形成されたとしても、マーク群ＭＧがガイドトラックＴＲ上に形成されていない場合と概ね同様に、好適なトラッキング制御が行われる。
【０１１４】
それでいて、上述したように、プッシュプル信号の信号レベルの変動から、各種データ（例えば、上述した同期データやビットデータ）が読み取られる。つまり、本実施例では、一対の記録マークＭＬ及びＭＲが組み合わせられたマーク群ＭＧをガイド層１２上に形成することで、プッシュプル信号を用いて読み取られる各種データを記録することができる。言い換えれば、本実施例では、一対の記録マークＭＬ及びＭＲが組み合わせられたマーク群ＭＧをガイド層１２に形成することで、ＲＦ信号を用いて読み取らなくともよい各種データをガイド層１２に記録することができる。
【０１１５】
ここで、図１０を参照して、ガイド層１２に形成されたマーク群ＭＧが示す情報を、トラッキング制御に用いられるプッシュプル信号から読み取ることで実現される利点について説明する。図１０は、グルーブトラックＧＴの凹部の深さ（つまり、ランドトラックＬＴに対するグルーブトラックＧＴの相対的な深さ）とプッシュプル信号及びＲＦ信号の信号レベルとの関係を示すグラフである。
【０１１６】
図１０に示すように、トラッキング制御に用いられるプッシュプル信号の信号レベルは、グルーブトラックＧＴの深さがλ／８ｎ（つまり、λ÷（８×ｎ））となる場合に最良となる。一方で、トラッキング制御に用いられないＲＦ信号の信号レベルは、グルーブトラックＧＴの深さがλ／４ｎ（つまり、λ÷（４×ｎ））となる場合に最良となる。仮に、ガイド層１２上に、ＲＦ信号を用いて読み取る必要がある制御情報を記録した場合には、プッシュプル信号の信号レベル（言い換えれば、信号特性）のみならず、ＲＦ信号の信号レベル（信号特性）をも考慮する必要がある。
【０１１７】
しかるに、本実施例では、ガイド層１２上には、元々トラッキング制御に用いられるプッシュプル信号を用いて読み取ることができる制御情報が記録される。従って、プッシュプル信号の信号レベル（言い換えれば、信号特性）が考慮されれば足りる。言い換えれば、ＲＦ信号の信号レベル（信号特性）が考慮されなくともよくなる。
【０１１８】
このため、本実施例では、グルーブトラックＧＴの深さ（更には、記録マークＭＬ、ＭＲ及びＭＣの深さ）は、λ／６ｎ未満に設定されてもよい。これにより、プッシュプル信号の信号特性が好適な特性となるため、トラッキング制御が好適に行われると共にマーク群ＭＧを用いてガイド層１２に記録された制御情報が好適に読み取られる。
【０１１９】
或いは、グルーブトラックＧＴの深さ（更には、記録マークＭＬ、ＭＲ及びＭＣの深さ）は、λ／８ｎに設定されてもよい。これにより、プッシュプル信号の信号特性が最良となるため、トラッキング制御がより一層好適に行われると共にマーク群ＭＧを用いてガイド層１２に記録された制御情報がより一層好適に読み取られる。
【０１２０】
加えて、本実施例では、複数のグルーブトラックＧＴの夫々の同一回転位相位置に同一のマーク群ＭＧが形成される。同様に、本実施例では、複数のランドトラックＬＴの夫々の同一回転位相位置に同一のマーク群ＭＧが形成される。このため、ガイドレーザ光ＬＢ１のフォーカス偏差（フォーカスオフセット）に対する依存性を弱める（具体的には、フォーカス偏差が大きくなった場合であっても、マーク群ＭＧが示す制御情報を好適に読み取る）ことができる。以下、図１１から図１３（ａ）及び図１３（ｂ）を参照して、フォーカス偏差に対する依存性を弱める効果を説明する。図１１は、単一のグルーブトラックＧＴ上にマーク群ＭＧが形成される比較例を示す平面図である。図１２は、フォーカス偏差とプッシュプル信号の振幅との間の関係を示すグラフである。図１３（ａ）及び図１３（ｂ）は、ガイド層１２でのガイドレーザ光ＬＢ１のビームスポットとグルーブトラックＧＴ並びに一対の記録マークＭＬ及びＭＲとの位置関係を示す平面図である。
【０１２１】
図１１に示すように、単一のグルーブトラックＧＴ上に単一のマーク群ＭＧが形成されるとする。このとき、マーク群を構成する一対の記録マークＭＬ及びＭＲのトラック中心からのシフト量を、１００ｎｍ、２２０ｎｍ、３２０ｎｍ及び６４０ｎｍの４種類に設定したときのプッシュプル信号の振幅は、図１２に示すようになる。図１２に示すように、単一のグルーブトラックＧＴ上に単一のマーク群ＭＧが形成される比較例では、フォーカス偏差が大きくなる（例えば、図１２では、負の方向に大きくなる）につれて、プッシュプル信号の振幅が小さくなっているのが分かる。その結果、トラッキング制御が好適に行われないばかりか、マーク群ＭＧを用いてガイド層１２に記録された制御情報が好適に読み取られなくなってしまうおそれがある。これは、フォーカス偏差が大きくなるにつれてデフォーカスの度合いが強くなると、ただ一つのマーク群ＭＧを好適に読み取ることができないことが理由であると想定される。
【０１２２】
一方で、本実施例によれば、複数のグルーブトラックＧＴ（或いは、複数のランドトラックＬＴ）の夫々の同一回転位相位置に同一のマーク群ＭＧが形成されるため、プッシュプル信号の振幅は、トラッキングサーボをオープンにした状態で得られるプッシュプル信号の振幅と概ね同様になる。つまり、本実施例のプッシュプル信号の振幅のフォーカス偏差に対する依存性は、トラッキングサーボをオープンにした状態で得られるプッシュプル信号の振幅のフォーカス偏差に対する依存性と概ね同様になる。トラッキング制御が好適に行われると共に、マーク群ＭＧを用いてガイド層１２に記録された制御情報が好適に読み取られる。
【０１２３】
というのも、トラック中心に対して右側にシフトした記録マークＭＲをサーチしている時のガイドレーザ光ＬＢ１のビームスポットの状態（図１３（ａ）の状態Ａ１参照）は、トラッキングサーボをオープンにした状態でトラック中心から左側にずれている（位相にして、約２７０°ずれている）ガイドレーザ光ＬＢ１のビームスポットの状態（図１３（ｂ）の状態Ｂ１参照）と概ね同様である。同様に、トラック中心に対して左側にシフトした記録マークＭＲをサーチしているときのガイドレーザ光ＬＢ１のビームスポットの状態（図１３（ａ）の状態Ａ２参照）は、トラッキングサーボをオープンにした状態でトラック中心から右側にずれている（位相にして、約９０°ずれている）ガイドレーザ光ＬＢ１のビームスポットの状態（図１３（ｂ）の状態Ｂ２参照）と概ね同様である。従って、図１３（ａ）に示す状態のガイドレーザ光ＬＢ１から得られるプッシュプル信号の波形は、図１３（ｂ）に示す状態のガイドレーザ光ＬＢ１から得られるプッシュプル信号の波形と概ね同様になる（図１３（ｃ）参照）。このため、上述したように、本実施例のプッシュプル信号の振幅のフォーカス偏差に対する依存性は、トラッキングサーボをオープンにした状態で得られるプッシュプル信号の振幅のフォーカス偏差に対する依存性と概ね同様になる。
【０１２４】
尚、上述した先行技術２から６に開示された技術は、いずれも図１１に示すような単一の記録トラック上に単一のデータを記録するために単一の記録トラック上に形成される記録ピットないしはウォブルを左右にシフトさせているに過ぎない。つまり、上述した先行技術２から６に開示された技術は、複数の記録トラックの同一回転位相位置に同一のデータを記録していない（言い換えれば、同一のデータを示すピットないしはウォブルを形成していない）という点で本実施例とは異なっている。
【０１２５】
加えて、本実施例によれば、グルーブトラックＧＴ及びランドトラックＬＴの双方にマーク群ＭＧが形成される。このため、グルーブトラックＧＴ及びランドトラックＬＴの一方のみにマーク群ＭＧが形成される光ディスクと比較して、ガイド層１２に記録可能な制御情報のサイズを増大させることができる。更に、このため、グルーブトラックＧＴ及びランドトラックＬＴの一方のみにマーク群ＭＧが形成される光ディスクと比較して、ガイド層１２に記録された制御情報が読み取りやすくなる。
【０１２６】
加えて、本実施例によれば、同期データを構成するマーク群ＭＧには、一対の記録マークＭＬ及びＭＲに加えて、トラック中心上に位置する記録マークＭＣが含まれる。プッシュプル信号の信号レベルの基準値（例えば、ゼロレベル）が変動してしまう場合であっても、一対の記録マークＭＬ及びＭＲに応じたプッシュプル信号の信号レベルの変動を好適に認識することができる。以下、図１４（ａ）及び図１４（ｂ）を参照しながら、プッシュプル信号の信号レベルの基準値が変動してしまう場合であっても、一対の記録マークＭＬ及びＭＲに応じたプッシュプル信号の信号レベルの変動を好適に認識することができる利点について説明する。図１４（ａ）及び図１４（ｂ）は、一対の記録マークＭＬ及びＭＲ並びにトラック中心上に位置する記録マークＭＣが含まれる同期データを構成するマーク群ＭＧから得られるプッシュプル信号を示すグラフである。
【０１２７】
図１４（ａ）に示すように、プッシュプル信号の信号レベルの基準値が変動しない場合には、いわゆるデフォールトのゼロレベルを用いて、一対の記録マークＭＬ及びＭＲに応じたプッシュプル信号の信号レベルの変動が好適に認識される。
【０１２８】
一方で、図１４（ｂ）の左側の実線で示すように、プッシュプル信号の信号レベルの基準値が変動してしまう（例えば、正方向にシフトしてしまう）場合には、いわゆるデフォールトのゼロレベルを用いると、記録マークＭＬに応じたプッシュプル信号の信号レベルと記録マークＭＲに応じたプッシュプル信号の信号レベルとが互いに異なるものとなってしまう。その結果、プッシュプル信号に基づく記録マークＭＬ及びＭＲの読み取りの信頼性が悪化してしまいかねない。
【０１２９】
しかるに、本実施例では、図１４（ｂ）の右側の点線で示すように、トラック中心上に位置する記録マークＭＣに応じたプッシュプル信号の信号レベルを用いて、プッシュプル信号の信号レベルの基準値を調整することができる。従って、プッシュプル信号の信号レベルの基準値（例えば、ゼロレベル）が変動してしまう場合であっても、一対の記録マークＭＬ及びＭＲに応じたプッシュプル信号の信号レベルの変動を好適に認識することができる。
【０１３０】
（３）光ディスクの製造
続いて、図１５から図２４を参照して、光ディスク１１の製造について説明する。
【０１３１】
（３−１）露光装置及び制御信号生成装置の構成
はじめに、図１５を参照して、光ディスク１１を製造するために用いられる露光装置３００及び制御信号生成装置４００の構成について説明する。図１５は、光ディスク１１を製造するために用いられる露光装置３００及び制御信号生成装置４００の構成を示すブロック図である。尚、図１５では、光ディスク１１を製造するために用いられる製造装置として、光ディスク１１を製造するためのスタンパの鋳型となるガラス原盤３８０に対する露光処理を行う露光装置３００を例示している。しかしながら、光ディスク１１を製造するために用いられる製造装置として、露光装置３００以外の任意の装置（例えば、露光処理が行われたガラス原盤３８０に対して現像処理を行う装置や、現像処理が行われたガラス原盤３８０からスタンパを製造する装置や、スタンパを用いて光ディスク１１を製造する装置）が用いられてもよいことは言うまでもない。
【０１３２】
図１５に示すように、露光装置３００は、半導体レーザ光源３１０と、光変調器３２０と、対物レンズ３３０と、送り機構３４０と、回転ステージ３５０と、スピンドルモータ３６０と、回転制御部３７０とを備えている。
【０１３３】
半導体レーザ光源３１０は、回転ステージ３５０上に搭載されるガラス原盤３８０に対するレーザカッティング処理を行うためのカッティングレーザ光ＬＢ３を出射する。
【０１３４】
光変調器３２０は、半導体レーザ光源３１０が出射するカッティングレーザ光ＬＢ３を変調する。特に、光変調器３２０は、制御信号生成装置４００から出力されるレーザ光強度制御信号に応じて、カッティングレーザ光ＬＢ３の出力のオン（つまり、光変調器３２０からカッティングレーザ光ＬＢ３が出力される状態）及びオフ（つまり、光変調器３２０からカッティングレーザ光ＬＢ３が出力されない状態）を適宜切り替える。加えて、光変調器３２０は、制御信号生成装置４００から出力される方向・シフト量制御信号に応じて、カッティングレーザ光ＬＢ３の照射位置を、上述したマーク群ＭＧのパターンに合わせてガラス原盤３８０の半径方向にシフトさせる。
【０１３５】
対物レンズ３３０は、半導体レーザ光源３１０が出射するカッティングレーザ光ＬＢ３の焦点を、ガラス原盤３８０（より具体的には、ガラス原盤３８０上に塗布されているレジスト３９０）に合わせる。
【０１３６】
送り機構３４０は、半導体レーザ光源３１０、光変調器３２０及び対物レンズ３３０を含む光学系を移動させる。例えば、送り機構３４０は、光学系を、ガラス原盤３８０の最内周から最外周に至るまで、ガラス原盤３８０の半径方向に沿って移動させることができる。このため、送り機構３４０は、例えば、送りモータやリニアスライダやリニアエンコーダや制御機構等を備えている。
【０１３７】
回転テーブル３５０は、スピンドルモータ３６０の動力によって回転するステージである。回転テーブル３５０上には、レジスト３９０が塗布されたガラス原盤３８０が搭載されている。
【０１３８】
スピンドルモータ３６０は、回転テーブル３５０を回転させるモータである。
【０１３９】
回転制御部３７０は、スピンドルモータ３６０が所望の回転速度で又は所望の回転数で回転テーブル３５０を回転させるようにスピンドルモータ３６０の動作を制御する。特に、本実施例では、上述したように光ディスク１１がＣＬＶ方式を採用しているため、所望の回転速度又は所望の回転数は、カッティングレーザ光ＬＢ３が照射されている領域の線速度が一定となるように適宜設定されることが好ましい。回転制御部３７０は、特にロータリエンコーダ３７１を備えている。ロータリエンコーダ３７１は、スピンドルモータ３６０の回転軸の回転位相に応じて回転パルスを出力する、いわゆる既知のロータリエンコーダであってもよい。例えば、ロータリエンコーダ３７１は、スピンドルモータ３６０の回転軸が１回転する間に（つまり、ガラス原盤３８０が１回転する間に）、所定数の回転パルスを一定周期で出力する。
【０１４０】
一方で、図１５に示すように、制御信号生成装置４００は、回転位相発生部４１０と、回転位相保持部４２０と、回転位相比較部４３０と、タイミング信号生成部４４０と、データパターン生成部４５０と、制御信号合成部４６０と、インタフェース部４７０とを備えている。
【０１４１】
回転位相発生部４１０は、露光装置３００におけるガラス原盤３８０の回転位相を認識する。このため、回転位相発生部４１０は、パルスカウンタ４１１と、周期カウンタ４１２とを備えている。
【０１４２】
パルスカウンタ４１１は、露光装置３００から出力される回転パルス（つまり、ロータリエンコーダ３７１から出力される回転パルス）をカウントする。このパルスカウンタ４１１によるカウント値は、ガラス原盤３８０が１回転する毎にリセットされる。例えば、ガラス原盤３８０が１回転する間に４０９６個の回転パルスがロータリエンコーダ３７１から出力されるとすると、パルスカウンタ４１１のカウント値は、１から４０９６の間のいずれかの値となる。
【０１４３】
周期カウンタ４１２は、回転パルスのパルス周期よりも短い周期でカウント値をカウントすることが可能なカウンタである。例えば、周期カウンタ４１２は、ロータリエンコーダ３７１からある回転パルスが出力されてから次の回転パルスが出力されるまでの間に、少なくとも２回以上のカウントを行うことが可能なカウンタである。
【０１４４】
尚、以下の説明では、説明の便宜上、パルスカウンタ４１１のカウンタ値を“第１カウンタ値”と称し、周期カウンタ４１２のカウンタ値を“第２カウンタ値”と称する。
【０１４５】
回転位相保持部４２０は、いわゆるメモリである。回転位相保持部４２０は、あるマーク群ＭＧのパターンに対応するレーザカッティング処理が行われている時点での周期カウンタ４１１の第１カウンタ値及びパルスカウンタ４１２の第２カウンタ値を一時的に保持する。より具体的には、回転位相保持部４２０は、例えば、同一の回転位相位置に形成されるべき同一のマーク群ＭＧのうち最初に形成されることになるマーク群ＭＧのパターンに対応するレーザカッティング処理が行われている時点での周期カウンタ４１１の第１カウンタ値及びパルスカウンタ４１２の第２カウンタ値を一時的に保持する。回転位相保持部４２０は、典型的には、同一の回転位相位置に形成されるべき同一のマーク群ＭＧのうちの最も内周側のマーク群ＭＧのパターンに対応するレーザカッティング処理が行われている時点での周期カウンタ４１１の第１カウンタ値及びパルスカウンタ４１２の第２カウンタ値を一時的に保持する。
【０１４６】
回転位相比較部４３０は、回転位相保持部４２０が保持している第１及び第２カウンタ値の組み合わせと、パルスカウンタ４１１の現在の第１カウンタ値及び周期カウンタ４１２の現在の第２カウンタ値の組み合わせとが一致するか否かを判定する。
【０１４７】
タイミング信号生成部４４０は、ランド／グルーブタイミング生成部４４１と、マーク群タイミング生成部４４２とを備えている。ランド／グルーブタイミング生成部４４１は、グルーブトラックＧＴに対応するレーザカッティング処理を行うＧＴ形成タイミング及びランドトラックＬＴに対応するレーザカッティング処理を行うＬＴ形成タイミングを生成する。マーク群タイミング生成部４４２は、マーク群ＭＧに対応するレーザカッティング処理を行うマーク群形成タイミングを生成する。尚、タイミング信号生成部４４０は、ＥＣＣタイミングや、グループタイミングや、スロットタイミングや、ウォブルタイミングや、緩衝エリアタイミング等を生成してもよい。
【０１４８】
ここで、図１６を参照して、タイミング信号生成部４４０が生成するマーク群形成タイミング等について説明する。図１６は、タイミング信号生成部４４０が生成するマーク群形成タイミング等を示すタイミングチャートである。
【０１４９】
図１６は、光ディスク１１上でのデータ構造（つまり、ＥＣＣ−グループ−スロットという階層的なデータ構造であり、図７も参照）に合わせて、タイミング信号生成部４４０が生成したウォブルタイミングや、緩衝エリアタイミングや、マーク群形成タイミング（トラックｋ）や、マーク群形成タイミング（トラックｋ＋１）を示している。マーク群形成タイミング（トラックｋ）がオン（ハイレベル）になるタイミングで、トラック番号が「ｋ」となるガイドトラックＴＲにマーク群ＭＧが形成される。同様に、マーク群形成タイミング（トラックｋ＋１）がオン（ハイレベル）になるタイミングで、トラック番号が「ｋ＋１」となるガイドトラックＴＲにマーク群ＭＧが形成される。
【０１５０】
再び図１５において、データパターン生成部４５０は、同期データのパターン（つまり、記録マークＭＣ、ＭＬ及びＭＲ並びに記録マークが形成されない領域の組み合わせのパターン）を生成する同期データパターン生成部４５１と、ビットデータのパターンを生成するビットデータパターン生成部４５２と、記録マークＭＬ及びＭＲのトラック中心からのシフト量を設定するシフト量設定部４５３とを備える。
【０１５１】
制御信号合成部４６０は、回転位相比較部４３０における比較結果、タイミング信号生成部４４０が生成したＧＴ形成タイミング及びＬＴ形成タイミング、タイミング信号生成部４４０が生成したマーク群形成タイミング、データパターン生成部４５０が生成した同期データのパターン及びビットデータのパターン、並びにデータパターン生成部４５０が設定したシフト量に基づいて、レーザ光強度制御信号及び方向・シフト量制御信号を生成する。
【０１５２】
具体的には、ＧＴ形成タイミングがオン（ハイレベル）になっている場合には、典型的には、レーザ光強度制御信号がオン（ハイレベル）となる。その結果、カッティングレーザ光ＬＢ３がガラス原盤３８０に照射される。一方で、ＧＴ形成タイミングがオフ（ローレベル）になっている又はＬＴ形成タイミングがオン（ハイレベル）になっている場合には、典型的には、レーザ光強度制御信号がオフ（ローレベル）となる。その結果、カッティングレーザ光ＬＢ３がガラス原盤３８０に照射されない。
【０１５３】
また、マーク群形成タイミングがオン（ハイレベル）になっている場合又は回転位相比較部４３０における比較結果が「一致」と判定された場合には、信号レベルが＋レベルと０レベルと−レベルとの間で変動する方向・シフト量制御信号が生成される。このときの方向・シフト量制御信号の信号レベルの変動方向は、データパターン生成部４５０が生成した同期データのパターン及びビットデータのパターンに応じて設定される。また、このときの方向・シフト量制御信号の信号レベルの変動量は、データパターン生成部４５０が設定したシフト量に応じて設定される。他方で、マーク群形成タイミングがオフ（ローレベル）になっている場合又は回転位相比較部４３０における比較結果が「不一致」と判定された場合には、０レベルに固定された方向・シフト量制御信号が生成される。
【０１５４】
本実施例では特に、制御信号合成部４６０は、方向・シフト量制御信号の信号レベルが、方向・シフト量制御信号の信号レベルの切り替え（具体的には、現在の信号レベルから他の信号レベルへの切り替え）が開始してからの経過時間に応じて変化する（言い換えれば、切り替わる）ように、方向・シフト量制御信号を生成する。尚、方向・シフト量制御信号の信号レベルは、カッティングレーザ光ＬＢ３の照射位置を現在の照射位置から他の照射位置へとシフトさせる際に切り替わる。このため、制御信号合成部４６０は、方向・シフト量制御信号の信号レベルが、カッティングレーザ光ＬＢ３の照射位置のシフトが開始してからの経過時間に応じて変化する（言い換えれば、切り替わる）ように、方向・シフト量制御信号を生成しているとも言える。尚、方向・シフト量制御信号の信号レベルについては、図１９及び図２３を参照しながら後に詳述するため、ここでの詳細な説明を省略する。
【０１５５】
インタフェース部４７０は、制御信号合成部４６０が生成したレーザ光強度制御信号及び方向・シフト量制御信号のフォーマットを、露光装置３００のインタフェースの仕様に合わせて変換する。その結果、インタフェース部４７０からは、露光装置３００のインタフェースの仕様に合致したレーザ光強度制御信号及び方向・シフト量制御信号が出力される。
【０１５６】
（３−２）製造過程
続いて、図１７から図２４を参照して、光ディスク１１の製造過程について説明する。
【０１５７】
（３−２−１）製造過程の全体の流れ
はじめに、図１７を参照して、光ディスク１１の製造過程の全体の流れについて説明する。図１７は、光ディスク１１の製造過程の全体の流れを示すフローチャートである。
【０１５８】
図１７に示すように、はじめに、露光装置３００の動作によって、制御信号生成部４００によって生成される光強度信号及び方向・シフト量制御信号に基づくレーザカッティング処理が行われる（ステップＳ１００）。このレーザカッティング処理により、ガラス原盤３８０上に塗布されているレジスト３９０のうち、上述のグルーブトラックＧＴ及びマーク群ＭＧが形成される箇所に塗布されているレジスト３９０が、カッティングレーザ光ＬＢ３によって露光される。
【０１５９】
その後、レーザカッティング処理が施されたガラス原盤３８０に対して、現像処理が行われる（ステップＳ１１０）。その結果、カッティングレーザ光ＬＢ３に露光したレジスト３９０が除去される。従って、この現像処理により、ガラス原盤３８０上には、グルーブトラックＧＴ及びマーク群ＭＧに対応する凹部が、レジスト３９０の除去によって現れる。
【０１６０】
その後、現像処理が施されたガラス原盤３８０に対して電鋳処理が行われることで、スタンパ（マスタ−スタンパ）が製造される（ステップＳ１２０）。その後、必要に応じて、スタンパ（マスタ−スタンパ）を用いて型付処理及びリプリケーション処理が行われることで、スタンパ（マザースタンパないしはサブスタンパ）が製造されてもよい（ステップＳ１３０及びステップＳ１４０）。
【０１６１】
その後、スタンパを用いて、ガイド層１２が形成されたガイド基板が成形される（ステップＳ１５０）。ガイド基板の成形は、典型的には、射出成型機によって行われる。尚、ガイド基板の材料としては、例えばポリカーボネート樹脂（ＰＣ樹脂）やアクリル系樹脂やポリオレフィン系樹脂やその他の樹脂が用いられる。
【０１６２】
その後、ガイド層１２上に、所望の反射率を有する反射膜がスパッタリングによって形成される（ステップＳ１６０）。尚、反射膜の材料としては、金属や、金属合金や、誘電体等が用いられる。
【０１６３】
その後、反射膜上に、所望の厚みを有する中間層が形成される（ステップＳ１７０）。中間層の形成は、２層以上の記録層を有するＤＶＤ又はＢＤ（Blu-ray Disc）と同様にスタンパを用いて行われてもよいが、どのような方法で行われてもよい。中間層の材料としては、紫外線硬化樹脂や樹脂フィルムが用いられる。その後、中間層上に、記録層１３を構成する記録膜がスパッタリングによって形成される（ステップＳ１８０）。がこの順に、ガイド層１２上に成形される。尚、ステップＳ１７０の中間層の形成及びステップＳ１８０の記録膜の形成は、光ディスク１１が備える記録層１３の数だけ繰り返される。
【０１６４】
その後、最後に形成された記録膜上に、所望の厚みを有するカバー層が形成される（ステップＳ１９０）。カバー層の材料としては、紫外線硬化樹脂や樹脂フィルムが用いられる。
【０１６５】
（３−２−２）グルーブトラックに形成されるマーク群に対応するレーザカッティング
続いて、図１８から図２１を参照して、グルーブトラックＧＴに形成されるマーク群ＭＧに対応するレーザカッティング処理（図１７のステップＳ１００）の流れについて説明する。図１８は、グルーブトラックＧＴに形成されるマーク群ＭＧに対応するレーザカッティング処理（図１７のステップＳ１００）の流れを示すフローチャートである。図１９は、グルーブトラックＧＴに形成されるマーク群ＭＧに対応するレーザカッティング処理（図１７のステップＳ１００）が行われる時に生成されるレーザ光強度制御信号及び方向・シフト量制御信号を、マーク群ＭＧと対応付けて示すタイミングチャートである。図２０は、パルスカウンタ４１１の第１カウンタ値及び周期カウンタ４１２の第２カウンタ値とマーク群ＭＧとの対応付けを示すタイミングチャートである。図２１は、カッティングレーザ光の照射位置のシフト量の時間変化を、方向・シフト量制御信号の信号レベルが異なる複数の態様毎に示すグラフである。
【０１６６】
尚、図１８は、説明の簡略化のため、トラック番号が「ｋ−２」となるグルーブトラックＧＴ、トラック番号が「ｋ」となるグルーブトラックＧＴ及びトラック番号が「ｋ＋２」となるグルーブトラックＧＴの夫々の同一位相回転位置に同一のマーク群ＭＧを形成するためのレーザカッティング処理の流れについて説明する。しかしながら、その他のグルーブトラックＧＴにマーク群ＭＧを形成する場合や２本又は４本以上のグルーブトラックＧＴにマーク群を形成する場合であっても、同様の態様でレーザカッティング処理が行われることは言うまでもない。
【０１６７】
図１８に示すように、トラック番号が「ｋ−２」となるグルーブトラックＧＴに対応するレーザカッティング処理を行う際には、ＧＴ形成タイミングがオンになっているため、制御信号合成部４６０は、レーザ光強度制御信号の信号レベルをオンに設定し且つ方向・シフト量制御信号の信号レベルを０レベルに設定する（ステップＳ２０１）。つまり、図１９の期間ｔ１に示すようなレーザ光強度制御信号及び方向・シフト量制御信号が生成される。
【０１６８】
露光装置３００は、このようなレーザ光強度制御信号及び方向・シフト量制御信号に応じて動作する。具体的には、光変調器３２０は、レーザ光強度制御信号がオンになっているため、カッティングレーザ光ＬＢ３の出力をオンに設定する。加えて、光変調器３２０は、方向・シフト量制御信号が０レベルになっているため、カッティングレーザ光ＬＢ３の照射位置をシフトさせない。つまり、光変調器３２０は、カッティングレーザ光ＬＢ３の照射位置を、トラック番号が「ｋ−２」となるグルーブトラックＧＴのトラック中心に相当する位置に固定する。その結果、トラック番号が「ｋ−２」となるグルーブトラックＧＴに対応するパターンに合わせてカッティングレーザ光ＬＢ３が照射される（ステップＳ２０２）。
【０１６９】
その後、制御信号合成部４６０は、トラック番号が「ｋ−２」となるグルーブトラックＧＴに対応するパターンに合わせてレーザカッティングを行っている最中に、マーク群形成タイミングがオンになったか否かを判定する（ステップＳ２０３）。尚、ステップＳ２０３の動作は、実質的には、現在時刻が図１９の期間ｔ２に入ったか否かを判定する動作と同一である。というのも、マーク群形成タイミングが期間ｔ２においてオンとなるからである。
【０１７０】
ステップＳ２０３の判定の結果、マーク群形成タイミングがオンになっていないと判定される場合には（ステップＳ２０３：Ｎｏ）、トラック番号が「ｋ−２」となるグルーブトラックＧＴに対応するパターンに合わせたカッティングレーザ光ＬＢ３の照射が継続される。
【０１７１】
他方で、ステップＳ２０３の判定の結果、マーク群形成タイミングがオンになったと判定される場合には（ステップＳ２０３：Ｙｅｓ）、まず、回転位相保持部４２０は、マーク群形成タイミングがオンになったと判定された時点でのパルスカウンタ４１１の第１カウンタ値及び周期カウンタ４１２の第２カウンタ値を一時的に保持する（ステップＳ２０４）。尚、マーク群形成タイミングがオンになるとマーク群ＭＧに対応するパターンに合わせてカッティングレーザ光ＬＢ３の照射が行われることになるため、回転位相保持部４２０は、実質的には、あるマーク群ＭＧのパターンに対応するレーザカッティング処理が行われている時点でのパルスカウンタ４１１の第１カウンタ値及び周期カウンタ４１２の第２カウンタ値を一時的に保持することになる。
【０１７２】
このとき、回転位相保持部４２０は、カッティングレーザ光ＬＢ３の照射位置をトラック中心からシフトさせ始める（或いは、現在の照射位置から別の照射位置へシフトさせ始める）時点でのパルスカウンタ４１１の第１カウンタ値及び周期カウンタ４１２の第２カウンタ値を一時的に保持することが好ましい。言い換えれば、回転位相保持部４２０は、マーク群ＭＧを構成する記録マークＭＬ及びＭＲ（或いは、記録マークＭＣや記録マークが形成されない領域）の夫々の開始端に対応するタイミングでのパルスカウンタ４１１の第１カウンタ値及び周期カウンタ４１２の第２カウンタ値を一時的に保持することが好ましい。
【０１７３】
具体的には、図２０に示すように、トラック番号が「ｋ−２」となるグルーブトラックＧＴに、記録マークＭＣ、記録マークＭＬ、記録マークＭＣ及び記録マークＭＲからなる同期データ及び記録マークＭＬ及び記録マークＭＲからなるビットデータがこの順に配列されたマーク群ＭＧを形成するためのレーザカッティング処理が行われるとする。この場合、回転位相保持部４２０は、同期データを構成する記録マークＭＬの開始端に対応するタイミングでのパルスカウンタ４１１の第１カウント値ｈ及び周期カウンタ４１２の第２カウント値ｑ１の組み合わせ（ｈ、ｑ１）を一時的に保持する。同様に、回転位相保持部４２０は、同期データを構成する記録マークＭＲの開始端に対応するタイミングでのパルスカウンタ４１１の第１カウント値ｈ及び周期カウンタ４１２の第２カウント値ｑ２の組み合わせ（ｈ、ｑ２）を一時的に保持する。同様に、回転位相保持部４２０は、ビットデータを構成する記録マークＭＬの開始端に対応するタイミングでのパルスカウンタ４１１の第１カウント値ｈ及び周期カウンタ４１２の第２カウント値ｑ３の組み合わせ（ｈ、ｑ３）を一時的に保持する。同様に、回転位相保持部４２０は、ビットデータを構成する記録マークＭＲの開始端に対応するタイミングでのパルスカウンタ４１１の第１カウント値ｈ及び周期カウンタ４１２の第２カウント値ｑ４の組み合わせ（ｈ、ｑ４）を一時的に保持する。
【０１７４】
更に、制御信号合成部４６０は、データパターン生成部４５０が生成した同期データのパターン及びビットデータのパターン並びにデータパターン生成部４５０が設定したシフト量に応じて、方向・シフト量制御信号の信号レベルを調整する（ステップＳ２０５）。具体的には、制御信号合成部４６０は、図１９の期間ｔ２に示す、同期データのパターン及びビットデータのパターンに応じて信号レベルが＋レベルと０レベルと−レベルとの間で変動する方向・シフト量制御信号を生成する。
【０１７５】
特に、本実施例では、制御信号合成部４６０は、方向・シフト量制御信号の信号レベルが、方向・シフト量制御信号の信号レベルの切り替え（言い換えれば、カッティングレーザ光ＬＢ３のシフト）が開始してからの経過時間に応じて変化する（言い換えれば、切り替わる）ように、方向・シフト量制御信号を生成する。
【０１７６】
具体的には、制御信号合成部４６０は、図１９中の点線の丸印で示すように、方向・シフト量制御信号の信号レベルの切り替えが開始してから所定時間が経過するまでの間は、方向・シフト量制御信号の信号レベルが、データパターン生成部４５０が設定したシフト量に対応する（つまり、カッティングレーザ光ＬＢ３の照射位置のシフト量を、データパターン生成部４５０が設定したシフト量と一致させる又は収束させるために用いられる）信号レベルよりも絶対値が大きな信号レベルとなるように、方向・シフト量制御信号レベルを生成する。言い換えれば、制御信号合成部４６０は、方向・シフト量制御信号の信号レベルの切り替えが開始してから所定時間が経過するまでの間は、方向・シフト量制御信号の信号レベルが、データパターン生成部４５０が設定したシフト量よりも絶対値が大きなシフト量に対応する信号レベルとなるように、方向・シフト量制御信号レベルを生成する。より具体的には、制御信号合成部４６０は、方向・シフト量制御信号の信号レベルの＋レベルへの切り替えが開始してから所定時間が経過するまでの間は、方向・シフト量制御信号の信号レベルが、＋レベルよりも絶対値が大きな＋＋レベル（但し、＋＋レベル＝＋レベル＋α＞＋レベル）となるように、方向・シフト量制御信号レベルを生成する。同様に、制御信号合成部４６０は、方向・シフト量制御信号の信号レベルの−レベルへの切り替えが開始してから所定時間が経過するまでの間は、方向・シフト量制御信号の信号レベルが、−レベルよりも絶対値が大きな−−レベル（但し、−−レベル＝−レベル−α＜−レベル）となるように、方向・シフト量制御信号レベルを生成する。
【０１７７】
一方で、制御信号合成部４６０は、方向・シフト量制御信号の信号レベルの切り替えが開始してから所定時間が経過した後には、方向・シフト量制御信号の信号レベルが、データパターン生成部４５０が設定したシフト量に対応する信号レベルとなるように、方向・シフト量制御信号レベルを生成する。より具体的には、制御信号合成部４６０は、方向・シフト量制御信号の信号レベルの＋レベルへの切り替えが開始してから所定時間が経過した後には、方向・シフト量制御信号の信号レベルが＋レベルとなるように、方向・シフト量制御信号レベルを生成する。同様に、制御信号合成部４６０は、方向・シフト量制御信号の信号レベルの−レベルへの切り替えが開始してから所定時間が経過した後には、方向・シフト量制御信号の信号レベルが−レベルとなるように、方向・シフト量制御信号レベルを生成する。
【０１７８】
尚、制御信号合成部４６０は、図１９中の点線の四角印で示すように、方向・シフト量制御信号の信号レベルが＋レベル又は−レベルに切り替わる場合のみならず、方向・シフト量制御信号の信号レベルが０レベルに切り替わる場合においても、同様の態様で方向・シフト量制御信号を生成してもよい。具体的には、制御信号合成部４６０は、図１９中の点線の四角印で示すように、方向・シフト量制御信号の信号レベルの０レベルへの切り替えが開始してから所定時間が経過するまでの間は、方向・シフト量制御信号の信号レベルが０レベルよりも絶対値が大きな信号レベルとなるように、方向・シフト量制御信号レベルを生成してもよい。より具体的には、制御信号合成部４６０は、方向・シフト量制御信号の信号レベルの＋レベルから０レベルへの切り替えが開始してから所定時間が経過するまでの間は、方向・シフト量制御信号の信号レベルが、０レベルよりも小さい信号レベル（例えば、−αという信号レベル）となるように、方向・シフト量制御信号レベルを生成してもおい。同様に、制御信号合成部４６０は、方向・シフト量制御信号の信号レベルの−レベルから０レベルへの切り替えが開始してから所定時間が経過するまでの間は、方向・シフト量制御信号の信号レベルが、０レベルよりも大きい信号レベル（例えば、＋αという信号レベル）となるように、方向・シフト量制御信号レベルを生成してもよい。一方で、制御信号合成部４６０は、方向・シフト量制御信号の信号レベルの０レベルへの切り替えが開始してから所定時間が経過した後には、方向・シフト量制御信号の信号レベルが０レベルとなるように、方向・シフト量制御信号を生成してもよい。
【０１７９】
露光装置３００は、このようなレーザ光強度制御信号及び方向・シフト量制御信号に応じて動作する。具体的には、光変調器３２０は、レーザ光強度制御信号がオンになっているため、カッティングレーザ光ＬＢ３の出力をオンに設定する。加えて、光変調器３２０は、方向・シフト量制御信号に応じて、カッティングレーザ光ＬＢ３の照射位置をトラック中心からシフトさせる。例えば、光変調器３２０は、方向・シフト量制御信号の信号レベルが＋レベル又は＋＋レベルとなっている場合には、カッティングレーザ光ＬＢ３の照射位置をトラック中心から左側へとシフトさせる（つまり、記録マークＭＬに対応するようにシフトさせる）。例えば、光変調器３２０は、方向・シフト量制御信号の信号レベルが−レベル又は−−レベルとなっている場合には、カッティングレーザ光ＬＢ３の照射位置をトラック中心から右側へとシフトさせる（つまり、記録マークＭＣに対応するようにシフトさせる）。例えば、光変調器３２０は、方向・シフト量制御信号の信号レベルが０レベルとなっている場合には、カッティングレーザ光ＬＢ３の照射位置をシフトさせない（つまり、記録マークＭＣに対応するために、シフトさせない）。その結果、トラック番号が「ｋ−２」となるグルーブトラックＧＴに形成されるマーク群ＭＧに対応するパターンに合わせてカッティングレーザ光ＬＢ３が照射される（ステップＳ２０６）。
【０１８０】
ここで、光変調器３２０は、ステップ応答を用いてカッティングレーザ光ＬＢ３の照射位置を徐々にシフトさせている。このため、カッティングレーザ光ＬＢ３の照射位置のシフト量が方向・シフト量制御信号の信号レベルに応じたシフト量と一致するまでに要する時間は、方向・シフト量制御信号の信号レベルによらずに一定になる。具体的には、図２１（ａ）に示すように、方向・シフト量制御信号の信号レベルの絶対値が相対的に大きい場合にカッティングレーザ光ＬＢ３の照射位置のシフト量が方向・シフト量制御信号の信号レベル（＝＋＋レベル）に応じたシフト量と一致するまでに要する時間及び方向・シフト量制御信号の信号レベルの絶対値が相対的に小さい場合にカッティングレーザ光ＬＢ３の照射位置のシフト量が方向・シフト量制御信号の信号レベル（＝＋レベル）に応じたシフト量と一致するまでに要する時間は、共にＴ３である。同様に、図２１（ｂ）に示すように、方向・シフト量制御信号の信号レベルの絶対値が相対的に大きい場合にカッティングレーザ光ＬＢ３の照射位置のシフト量が方向・シフト量制御信号の信号レベル（＝−−レベル）に応じたシフト量と一致するまでに要する時間及び方向・シフト量制御信号の信号レベルの絶対値が相対的に小さい場合にカッティングレーザ光ＬＢ３の照射位置のシフト量が方向・シフト量制御信号の信号レベル（＝−レベル）に応じたシフト量と一致するまでに要する時間は、共にＴ３’である。
【０１８１】
そうすると、図２１（ａ）及び図２１（ｂ）に示すように、方向・シフト量制御信号の信号レベルの絶対値が相対的に大きい場合におけるカッティングレーザ光ＬＢ３の照射位置のシフト量の変化率（典型的には、増加率）又は変化速度（典型的には、増加率）は、方向・シフト量制御信号の信号レベルの絶対値が相対的に小さい場合におけるカッティングレーザ光ＬＢ３の照射位置のシフト量の変化率又は変化速度よりも大きくなる。
【０１８２】
ここで、方向・シフト量制御信号の信号レベルの切り替えが開始してからの経過時間によらずに固定されている（例えば、＋＋レベル及び−−レベルを採用することなく、＋レベル又は−レベルに固定されている）信号レベルを有する方向・シフト量制御信号を比較例として用いながら、露光装置３００の動作について考察する。比較例の方向・シフト量制御信号に応じて動作する露光装置３００では、図２１（ａ）及び図２１（ｂ）の細い実線で示すように、カッティングレーザ光ＬＢ３の照射位置のシフト量が所望のシフト量（つまり、記録マークＭＲ又はＭＬのトラック中心からのシフト量であり、データパターン生成部４５０が設定したシフト量）と一致するまでに要する時間は、Ｔ１又はＴ１’となる。一方で、本実施例の方向・シフト量制御信号に応じて動作する露光装置３００では、図２１（ａ）及び図２１（ｂ）の太い実線で示すように、カッティングレーザ光ＬＢ３の照射位置のシフト量が所望のシフト量と一致するまでに要する時間は、Ｔ２（＜Ｔ１）又はＴ２’（＜Ｔ１’）となる。つまり、本実施例の方向・シフト量制御信号に応じて動作する露光装置３００では、比較例の方向・シフト量制御信号に応じて動作する露光装置３００と比較して、カッティングレーザ光ＬＢ３の照射位置のシフト量が所望のシフト量と一致するまでに要する時間が相対的に短くなる。言い換えれば、本実施例の方向・シフト量制御信号に応じて動作する露光装置３００では、比較例の方向・シフト量制御信号に応じて動作する露光装置３００と比較して、カッティングレーザ光ＬＢ３の照射位置が相対的に迅速にシフトされる。
【０１８３】
このため、本実施例では、比較例と比較して、記録マークＭＲ及びＭＬの長さ（具体的には、ガイドトラックＴＲの進行方向に沿った長さ）が相対的に短くなる光ディスク１１を製造することができる。その結果、本実施例では、比較例と比較して、同じ記録領域に記録可能な記録マークＭＲ及びＭＬ（或いは、記録マークＭＣや記録マークが形成されない領域）の数（つまり、データビットのサイズ）が相対的に多くなる光ディスク１１を製造することができる。
【０１８４】
更には、上述したように、本実施例の光ディスク１１では、プッシュプル信号を用いて、トラキング制御が行われる。このとき、相隣接する複数のガイドトラックＴＲの夫々の同一回転位相位置に同一のマーク群ＭＧが形成されていることを考慮すれば、トラッキング制御の精度を向上させるためには、ある一のガイドトラックＴＲをトラッキングしている際に隣接する他のガイドトラックＴＲにガイドレーザ光ＬＢ１が照射されることで生ずるノイズ成分に起因したトラッキング制御への影響を抑制することが好ましい。隣接する他のガイドトラックＴＲにガイドレーザ光ＬＢ１が照射されることで生ずるノイズ成分に起因したトラッキング制御への影響を抑制するための一つの対応策として、トラッキング制御を行うトラッキングサーボ回路が追従することができない程度に記録マークＭＲ及びＭＬ（更には、記録マークＭＣや記録マークが形成されない領域）の長さを短くすることが考えられる。そうすると、本実施例では、記録マークＭＲ及びＭＬの長さ（具体的には、ガイドトラックＴＲの進行方向に沿った長さ）を相対的に短くすることができるがゆえに、ある一のガイドトラックＴＲをトラッキングしている際に隣接する他のガイドトラックＴＲにガイドレーザ光ＬＢ１が照射されることで生ずるノイズ成分に起因したトラッキング制御への影響が好適に抑制される。
【０１８５】
尚、参考までに、ある長さｌｘの記録マークを形成するために必要な時間ｔｘは、ｔｘ＝ｌｘ／ＶＬ（但し、ＶＬは線速度）となる。ここで、光ディスク１１がＣＬＶ方式を採用していることを考慮すれば、線速度ＶＬは一定値となる。従って、記録マークの長さｌｘを短くするためには、記録マークを形成するために必要な時間ｔｘを短くすればよいことが分かる。このとき、記録マークを形成するために必要な時間ｔｘは、実質的には、カッティングレーザ光ＬＢ３の照射位置のシフト量が所望のシフト量と一致するまでに要する時間（つまり、図２１（ａ）における時間Ｔ１若しくはＴ２や、図２１（ｂ）における時間Ｔ１’若しくはＴ２’）と概ね等価である。従って、本実施例では、記録マークを形成するために必要な時間ｔｘ（つまり、カッティングレーザ光ＬＢ３の照射位置のシフト量が所望のシフト量と一致するまでに要する時間）が相対的に短くなるがゆえに、記録マークの長さｌｘが相対的に短くなる。
【０１８６】
尚、方向・シフト量制御信号の信号レベルの絶対値が相対的に大きくなる（つまり、＋＋レベル又は−−レベルとなる）期間の長さは、カッティングレーザ光ＬＢ３の照射位置のシフト量が所望のシフト量と一致するまでに要する時間（つまり、Ｔ２又はＴ２’）以下であることが好ましい。言い換えれば、方向・シフト量制御信号の信号レベルの絶対値が相対的に大きくなる（つまり、＋＋レベル又は−−レベルとなる）期間の長さは、絶対値が相対的に高い信号レベルの方向・シフト量制御信号に基づいてカッティングレーザ光ＬＢ３の照射位置がシフトされている状態で当該照射位置のシフト量が所望のシフト量と一致するまでに要する時間（つまり、Ｔ２又はＴ２’）以下であることが好ましい。その結果、カッティングレーザ光ＬＢ３の照射位置のシフト量が所望のシフト量を上回ってしまう（つまり、オーバーシュートしてしまう）おそれは、殆ど又は全くなくなる。
【０１８７】
更に、方向・シフト量制御信号の信号レベルが＋＋レベルとなる期間の長さと、方向・シフト量制御信号の信号レベルが−−レベルとなる期間の長さとは、異なっていてもよい。その結果、方向・シフト量制御信号の信号レベルの正負の違いに対する光変調器３２０の応答特性が異なる場合であっても、光変調器３２０は、カッティングレーザ光ＬＢ３の照射位置を好適にシフトすることができる。但し、方向・シフト量制御信号の信号レベルが＋＋レベルとなる期間の長さと、方向・シフト量制御信号の信号レベルが−−レベルとなる期間の長さとは、同一であってもよい。
【０１８８】
再び図１８において、マーク群ＭＧの形成が終わる（つまり、マーク群形成タイミングがオフになる）と、制御信号合成部４６０は、一旦、方向・シフト量制御信号の信号レベルを０レベルに設定する（ステップＳ２０７）。つまり、図１９の期間ｔ３に示すようなレーザ光強度制御信号及び方向・シフト量制御信号が生成される。尚、この場合であっても、図１９（特に、期間ｔ３の初期）に示すように、制御信号合成部４６０は、方向・シフト量制御信号の信号レベルの０レベルへの切り替えが開始してから所定時間が経過するまでの間は、方向・シフト量制御信号の信号レベルが０レベルよりも絶対値が大きな信号レベルとなるように、方向・シフト量制御信号レベルを生成してもよい。また、制御信号合成部４６０は、方向・シフト量制御信号の信号レベルの０レベルへの切り替えが開始してから所定時間が経過した後には、方向・シフト量制御信号の信号レベルが０レベルとなるように、方向・シフト量制御信号を生成してもよい。
【０１８９】
その結果、トラック番号が「ｋ−２」となるグルーブトラックＧＴに対応するパターンに合わせてカッティングレーザ光ＬＢ３が照射される（ステップＳ２０８）。或いは、トラック番号が「ｋ」又は「ｋ＋２」となるグルーブトラックＧＴに対応するパターンに合わせてカッティングレーザ光ＬＢ３が照射される（ステップＳ２０８）。
【０１９０】
このとき、回転位相比較部４３０は、回転位相保持部４２０が保持している第１及び第２カウンタ値の組み合わせと、パルスカウンタ４１１の現在の第１カウンタ値及び周期カウンタ４１２の現在の第２カウンタ値の組み合わせとが一致するか否かを判定する（ステップＳ２０９）。尚、「一致」と判定されるのは、図２０に示すように、トラック番号が「ｋ」又は「ｋ＋２」となるグルーブトラックＧＴに形成されるマーク群ＭＧに対応するパターンに合わせてカッティングレーザＬＢ３が照射されるタイミングである。つまり、「一致」と判定されるのは、ガラス原盤３８０の回転によって、トラック番号が「ｋ−２」となるグルーブトラックＧＴに形成されるマーク群ＭＧに対応するパターンに合わせてカッティングレーザＬＢ３が照射された時点での回転位相が、再度現れるタイミングである。従って、「一致」と判定されるタイミングでマーク群ＭＧを形成すれば、隣接する複数のグルーブトラックＧＴの同一回転位相位置に、同一のマーク群ＭＧを形成することができる。
【０１９１】
ステップＳ２０９の判定の結果、「一致」と判定されない場合には（ステップＳ２０９：Ｎｏ）、トラック番号が「ｋ」又は「ｋ＋２」となるグルーブトラックＧＴに対応するパターンに合わせたカッティングレーザ光ＬＢ３の照射が継続される（ステップＳ２０８）。
【０１９２】
他方で、ステップＳ２０９の判定の結果、「一致」と判定される場合には（ステップＳ２０９：Ｙｅｓ）、制御信号合成部４６０は、データパターン生成部４５０が生成した同期データのパターン及びビットデータのパターン並びにデータパターン生成部４５０が設定したシフト量に応じて、方向・シフト量制御信号の信号レベルを調整する（ステップＳ２１０）。具体的には、制御信号合成部４６０は、図１９の期間ｔ４に示す、同期データのパターン及びビットデータのパターンに応じて信号レベルが＋レベルと０レベルと−レベルとの間で変動する方向・シフト量制御信号を生成する。この場合も、ステップＳ２０５と同様に、制御信号合成部４６０は、方向・シフト量制御信号の信号レベルが、方向・シフト量制御信号の信号レベルの切り替え（言い換えれば、カッティングレーザ光ＬＢ３のシフト）が開始してからの経過時間に応じて変化する（言い換えれば、切り替わる）ように、方向・シフト量制御信号を生成する。その結果、トラック番号が「ｋ」又は「ｋ＋２」となるグルーブトラックＧＴに形成されるマーク群ＭＧに対応するパターンに合わせてカッティングレーザ光ＬＢ３が照射される（ステップＳ２１１）。
【０１９３】
（４−２−３）ランドトラックに形成されるマーク群に対応するレーザカッティング
続いて、図２２から図２４を参照して、ランドトラックＬＴに形成されるマーク群ＭＧに対応するレーザカッティング処理（図１７のステップＳ１００）の流れについて説明する。図２２は、ランドトラックＬＴに形成されるマーク群ＭＧに対応するレーザカッティング処理（図１７のステップＳ１００）の流れを示すフローチャートである。図２３は、ランドトラックＬＴに形成されるマーク群ＭＧに対応するレーザカッティング処理（図１７のステップＳ１００）が行われる時に生成されるレーザ光強度制御信号及び方向・シフト量制御信号を、マーク群ＭＧと対応付けて示すタイミングチャートである。図２４は、パルスカウンタ４１１の第１カウンタ値及び周期カウンタ４１２の第２カウンタ値とマーク群ＭＧとの対応付けを示すタイミングチャートである。
【０１９４】
尚、図２２は、説明の簡略化のため、トラック番号が「ｋ−１」となるランドトラックＬＴ、トラック番号が「ｋ＋１」となるランドトラックＬＴ及びトラック番号が「ｋ＋３」となるランドトラックＬＴの夫々の同一位相回転位置に同一のマーク群ＭＧを形成するためのレーザカッティング処理の流れについて説明する。但し、図２２は、このようなマーク群ＭＧをこれら３本のランドトラックＬＴに形成するために、トラック番号が「ｋ−２」となるグルーブトラックＧＴ、トラック番号が「ｋ」となるグルーブトラックＧＴ、トラック番号が「ｋ＋２」となるグルーブトラックＧＴ及びトラック番号が「ｋ＋４」となるグルーブトラックＧＴの夫々の形成に合わせてマーク群ＭＧを形成するレーザカッティング処理を示している。尚、その他のランドトラックＬＴにマーク群ＭＧを形成する場合や２本又は４本以上のランドトラックＬＴにマーク群を形成する場合であっても、同様の態様でレーザカッティング処理が行われることは言うまでもない。また、図１８に示す動作と同一の動作については、同一のステップ番号を付してその詳細な説明は省略する。
【０１９５】
また、以下の説明では、ランドトラックＬＴに形成されるマーク群ＭＧが、グルーブトラックＧＴを形成する際に同時に形成される例を用いて説明を進める。例えば、トラック番号が「ｋ−１」となるランドトラックＬＴにマーク群ＭＧを形成するタイミングとして、トラック番号が「ｋ−２」となるグルーブトラックＧＴにマーク群ＭＧを形成するタイミングを用いている。
【０１９６】
図２２に示すように、トラック番号が「ｋ−２」となるグルーブトラックＧＴに対応するレーザカッティング処理を行う際には、ＧＴ形成タイミングがオンになっているため、制御信号合成部４６０は、レーザ光強度制御信号の信号レベルをオンに設定し且つ方向・シフト量制御信号の信号レベルを０レベルに設定する（ステップＳ２０１）。つまり、図２３の期間ｔ１に示すようなレーザ光強度制御信号及び方向・シフト量制御信号が生成される。その結果、トラック番号が「ｋ−２」となるグルーブトラックＧＴに対応するパターンに合わせてカッティングレーザ光ＬＢ３が照射される（ステップＳ２０２）。
【０１９７】
その後、制御信号合成部４６０は、トラック番号が「ｋ−２」となるグルーブトラックＧＴに対応するパターンに合わせてレーザカッティングを行っている最中に、マーク群形成タイミングがオンになったか否かを判定する（ステップＳ２０３）。
【０１９８】
ステップＳ２０３の判定の結果、マーク群形成タイミングがオンになっていないと判定される場合には（ステップＳ２０３：Ｎｏ）、トラック番号が「ｋ−２」となるグルーブトラックＧＴに対応するパターンに合わせたカッティングレーザ光ＬＢ３の照射が継続される。
【０１９９】
他方で、ステップＳ２０３の判定の結果、マーク群形成タイミングがオンになったと判定される場合には（ステップＳ２０３：Ｙｅｓ）、まず、回転位相保持部４２０は、マーク群形成タイミングがオンになったと判定された時点でのパルスカウンタ４１１の第１カウンタ値及び周期カウンタ４１２の第２カウンタ値を一時的に保持する（ステップＳ２０４）。尚、マーク群形成タイミングがオンになるとマーク群ＭＧに対応するパターンに合わせてカッティングレーザ光ＬＢ３の照射が行われることになるため、回転位相保持部４２０は、実質的には、あるマーク群ＭＧのパターンに対応するレーザカッティング処理が行われている時点でのパルスカウンタ４１１の第１カウンタ値及び周期カウンタ４１２の第２カウンタ値を一時的に保持することになる。
【０２００】
このとき、回転位相保持部４２０は、カッティングレーザ光ＬＢ３の照射位置をトラック中心からシフトさせ始める（或いは、現在の照射位置から別の照射位置へシフトさせ始める）時点でのパルスカウンタ４１１の第１カウンタ値及び周期カウンタ４１２の第２カウンタ値を一時的に保持することが好ましい。言い換えれば、回転位相保持部４２０は、マーク群ＭＧを構成する記録マークＭＬ及びＭＲ（或いは、記録マークＭＣや記録マークが形成されない領域）の夫々の開始端に対応するタイミングでのパルスカウンタ４１１の第１カウンタ値及び周期カウンタ４１２の第２カウンタ値を一時的に保持することが好ましい。
【０２０１】
具体的には、図２４に示すように、トラック番号が「ｋ−１」となるランドトラックＬＴに、記録マークが形成されない領域、記録マークＭＬ、記録マークが形成されない領域及び記録マークＭＲからなる同期データ及び記録マークＭＬ及び記録マークＭＲからなるビットデータがこの順に配列されたマーク群ＭＧを形成するためのレーザカッティング処理が行われるとする。この場合、回転位相保持部４２０は、同期データを構成する記録マークＭＬの開始端に対応するタイミングでのパルスカウンタ４１１の第１カウント値ｍ及び周期カウンタ４１２の第２カウント値ｕ１の組み合わせ（ｍ、ｕ１）を一時的に保持する。同様に、回転位相保持部４２０は、同期データを構成する記録マークＭＲの開始端に対応するタイミングでのパルスカウンタ４１１の第１カウント値ｍ及び周期カウンタ４１２の第２カウント値ｕ２の組み合わせ（ｍ、ｕ２）を一時的に保持する。同様に、回転位相保持部４２０は、ビットデータを構成する記録マークＭＬの開始端に対応するタイミングでのパルスカウンタ４１１の第１カウント値ｍ及び周期カウンタ４１２の第２カウント値ｕ３の組み合わせ（ｍ、ｕ３）を一時的に保持する。同様に、回転位相保持部４２０は、ビットデータを構成する記録マークＭＲの開始端に対応するタイミングでのパルスカウンタ４１１の第１カウント値ｍ及び周期カウンタ４１２の第２カウント値ｕ４の組み合わせ（ｍ、ｕ４）を一時的に保持する。
【０２０２】
更に、制御信号合成部４６０は、データパターン生成部４５０が生成した同期データのパターン及びビットデータのパターン並びにデータパターン生成部４５０が設定したシフト量に応じて、方向・シフト量制御信号の信号レベルを調整する（ステップＳ２０５）。具体的には、制御信号合成部４６０は、図２３の期間ｔ２に示す、同期データのパターン及びビットデータのパターンに応じて信号レベルが＋レベルと０レベルと−レベルとの間で変動する方向・シフト量制御信号を生成する。このとき、制御信号合成部４６０は、方向・シフト量制御信号の信号レベルが、方向・シフト量制御信号の信号レベルの切り替え（言い換えれば、カッティングレーザ光ＬＢ３のシフト）が開始してからの経過時間に応じて変化する（言い換えれば、切り替わる）ように、方向・シフト量制御信号を生成する。その結果、トラック番号が「ｋ−１」となるランドトラックＬＴに形成されるマーク群ＭＧに対応するパターンに合わせてカッティングレーザ光ＬＢ３が照射される（ステップＳ２０６）。つまり、トラック番号が「ｋ−１」となるランドトラックＬＴに形成されるマーク群ＭＧに対応するパターンに合わせて、トラック番号が「ｋ−２」となるグルーブトラックＧＴに対応する領域にカッティングレーザ光ＬＢ３が照射される。
【０２０３】
マーク群ＭＧの形成が終わる（つまり、マーク群形成タイミングがオフになる）と、制御信号合成部４６０は、一旦、方向・シフト量制御信号の信号レベルを０レベルに設定する（ステップＳ２０７）。つまり、図２３の期間ｔ３に示すようなレーザ光強度制御信号及び方向・シフト量制御信号が生成される。尚、この場合であっても、図２３（特に、期間ｔ３の初期）に示すように、制御信号合成部４６０は、方向・シフト量制御信号の信号レベルの０レベルへの切り替えが開始してから所定時間が経過するまでの間は、方向・シフト量制御信号の信号レベルが０レベルよりも絶対値が大きな信号レベルとなるように、方向・シフト量制御信号レベルを生成してもよい。また、制御信号合成部４６０は、方向・シフト量制御信号の信号レベルの０レベルへの切り替えが開始してから所定時間が経過した後には、方向・シフト量制御信号の信号レベルが０レベルとなるように、方向・シフト量制御信号を生成してもよい。
【０２０４】
その結果、トラック番号が「ｋ−２」となるグルーブトラックＧＴに対応するパターンに合わせてカッティングレーザ光ＬＢ３が照射される（ステップＳ３０８）。或いは、トラック番号が「ｋ」、「ｋ＋２」又は「ｋ＋４」となるグルーブトラックＧＴに対応するパターンに合わせてカッティングレーザ光ＬＢ３が照射される（ステップＳ３０８）。
【０２０５】
このとき、回転位相比較部４３０は、回転位相保持部４２０が保持している第１及び第２カウンタ値の組み合わせと、パルスカウンタ４１１の現在の第１カウンタ値及び周期カウンタ４１２の現在の第２カウンタ値の組み合わせとが一致するか否かを判定する（ステップＳ３０９）。尚、「一致」と判定されるのは、図２４に示すように、トラック番号が「ｋ−１」、「ｋ＋１」又は「ｋ＋３」となるランドトラックＬＴに形成されるマーク群ＭＧに対応するパターンに合わせてカッティングレーザＬＢ３が照射されるタイミングである。つまり、「一致」と判定されるのは、ガラス原盤３８０の回転によって、トラック番号が「ｋ−１」となるランドトラックＬＴに形成されるマーク群ＭＧに対応するパターンに合わせてカッティングレーザＬＢ３が照射された時点での回転位相が、再度現れるタイミングである。従って、「一致」と判定されるタイミングでマーク群ＭＧを形成すれば、隣接する複数のランドトラックＬＴの同一回転位相位置に、同一のマーク群ＭＧを形成することができる。
【０２０６】
ステップＳ３０９の判定の結果、「一致」と判定されない場合には（ステップＳ３０９：Ｎｏ）、トラック番号が「ｋ」、「ｋ＋２」又は「ｋ＋４」となるグルーブトラックＧＴに対応するパターンに合わせたカッティングレーザ光ＬＢ３の照射が継続される（ステップＳ３０８）。
【０２０７】
他方で、ステップＳ３０９の判定の結果、「一致」と判定される場合には（ステップＳ３０９：Ｙｅｓ）、制御信号合成部４６０は、データパターン生成部４５０が生成した同期データのパターン及びビットデータのパターン並びにデータパターン生成部４５０が設定したシフト量に応じて、方向・シフト量制御信号の信号レベルを調整する（ステップＳ２１０）。具体的には、制御信号合成部４６０は、図２３の期間ｔ４に示す、同期データのパターン及びビットデータのパターンに応じて信号レベルが＋レベルと０レベルと−レベルとの間で変動する方向・シフト量制御信号を生成する。この場合も、ステップＳ２０５と同様に、制御信号合成部４６０は、方向・シフト量制御信号の信号レベルが、方向・シフト量制御信号の信号レベルの切り替え（言い換えれば、カッティングレーザ光ＬＢ３のシフト）が開始してからの経過時間に応じて変化する（言い換えれば、切り替わる）ように、方向・シフト量制御信号を生成する。その結果、トラック番号が「ｋ−１」、「ｋ＋１」又は「ｋ＋３」となるランドトラックＬＴに形成されるマーク群ＭＧに対応するパターンに合わせてカッティングレーザ光ＬＢ３が照射される（ステップＳ２１１）。つまり、トラック番号が「ｋ−１」、「ｋ＋１」又は「ｋ＋３」となるランドトラックＬＴに形成されるマーク群ＭＧに対応するパターンに合わせて、トラック番号が「ｋ」、「ｋ＋２」又は「ｋ＋４」となるグルーブトラックＧＴに対応する領域にカッティングレーザ光ＬＢ３が照射される。
【０２０８】
以上説明したように、本実施例の制御信号生成装置４００は、上述した本実施例の光ディスク１１を製造するように露光装置３００を好適に制御することができる。つまり、本実施例の制御信号生成装置４００は、上述した各種効果を好適に享受することができる本実施例の光ディスク１１を好適に製造することができる。
【０２０９】
特に、本実施例の制御信号生成装置４００は、露光装置３００が備えるロータリエンコーダ３７１が出力する回転パルスをカウントした第１カウント値のみならず、制御信号生成装置４００自身が備える周期カウンタの第２カウント値にも基づいて、マーク群ＭＧを形成するタイミング（つまり、マーク群のパターンに応じてレーザカッティング処理が行われるタイミング）が決定される。仮にロータリエンコーダ３７１が出力する回転パルスをカウントした第１カウント値のみに基づいてタイミングが決定されるとすると、そのタイミングの精度は、ロータリエンコーダ３７１が出力する回転パルスの精度に大きく依存してしまう。その結果、タイミングの精度を維持することができずに、同一のマーク群ＭＧを同一回転位相位置に適切に形成するためのタイミングを好適に且つ高精度に決定することができないおそれもある。しかるに、本実施例では、第１カウント値及び第２カウント値の双方に基づいてタイミングが決定される。このため、同一のマーク群ＭＧを同一回転位相位置に適切に形成するためのタイミングを好適に且つ高精度に決定することができる。
【０２１０】
加えて、本実施例の制御信号生成装置４００は、露光装置３００とは別個独立の装置として構成される。このため、様々な露光装置３００に対して本実施例の制御信号生成装置４００を適用することができると共に、様々な露光装置３００を用いて光ディスク１１を製造することができる。この点において、レーザ光強度制御信号及び方向・シフト量制御信号のフォーマットを、露光装置３００のインタフェースの仕様に合わせて変換するインタフェース部４７０は有効である。但し、制御信号生成装置４００は、露光装置３００と一体化されていてもよい。この場合であっても、上述した本実施例の光ディスク１１を製造することができることに変わりはない。
また、本発明は、請求の範囲及び明細書全体から読み取るこのできる発明の要旨又は思想に反しない範囲で適宜変更可能であり、そのような変更を伴う信号生成装置及び方法もまた本発明の技術思想に含まれる。
【符号の説明】
【０２１１】
１１  光ディスク
１２  ガイド層
１３  記録層
３００  露光装置
４００  制御信号生成装置
４１０  回転位相発生部
４１１  周期カウンタ
４１２  パルスカウンタ
４２０  回転位相保持部
４３０  回転位相比較部
４６０  制御信号合成部
４７０  インタフェース部
ＧＴ  グルーブトラック
ＬＴ  ランドトラック
ＭＧ  マーク群
ＭＬ、ＭＲ、ＭＣ  記録マーク
ＬＢ１  ガイドレーザ光
ＬＢ２  記録再生レーザ光
ＬＢ３  カッティングレーザ光
【図１】
2014203475.tif 000003
【図２】
2014203475.tif 000004
【図３】
2014203475.tif 000005
【図４】
2014203475.tif 000006
【図５】
2014203475.tif 000007
【図６】
2014203475.tif 000008
【図７】
2014203475.tif 000009
【図８】
2014203475.tif 000010
【図９】
2014203475.tif 000011
【図１０】
2014203475.tif 000012
【図１１】
2014203475.tif 000013
【図１２】
2014203475.tif 000014
【図１３】
2014203475.tif 000015
【図１４】
2014203475.tif 000016
【図１５】
2014203475.tif 000017
【図１６】
2014203475.tif 000018
【図１７】
2014203475.tif 000019
【図１８】
2014203475.tif 000020
【図１９】
2014203475.tif 000021
【図２０】
2014203475.tif 000022
【図２１】
2014203475.tif 000023
【図２２】
2014203475.tif 000024
【図２３】
2014203475.tif 000025
【図２４】
2014203475.tif 000026